(57)【特許請求の範囲】
【請求項１】
ＸＧＡグラフィックモードで画素データをディスプレイ手段に表示するためのＸＧＡグラフィックシステムにおいて、
ＸＧＡグラフィックモードによる同期信号及びメインクロックを発生し、ディスプレイ手段に表示する画素データを偶数番目のデータと奇数番目のデータとに分けて伝送するグラフィックデータ発生手段と、
所定個数（Ｎ個）の画素データを貯蔵するための二つの貯蔵手段を具備し、前記貯蔵手段に貯蔵された前記画素データによって前記ディスプレイ手段を駆動するためのドライブ手段と、
前記グラフィックデータ発生手段及び前記ドライブ手段をインターフェースするために、前記メインクロックの１周期と同期間中にイネーブル状態を有するキャリア信号に応じて前記ドライブ手段の前記貯蔵手段に貯蔵される画素データの個数（Ｎ個）単位で前記偶数番目データと前記奇数番目のデータをデータ順に整列し、前記データ順に整列されたＮ個単位の出力データのうち奇数番目の出力データと偶数番目の出力データを前記ドライブ手段の前記二つの貯蔵手段にそれぞれ出力するためのインターフェース手段とを含むことを特徴とするＸＧＡグラフィックシステム。
【請求項２】
前記インターフェース手段は、前記メインクロック周期のＮ倍の周期を有し、前記メインクロックの一周期の間イネーブル状態を有するキャリ信号をＮ個発生し、前記Ｎ個のキャリ信号は前記メインクロックの周期だけ順に遅延された信号を発生するキャリ信号発生手段と、
少なくともＮ個以上のラッチを具備し、前記キャリ信号に応じて前記偶数番目のデータと前記奇数番目のデータをそれぞれ違うラッチに貯蔵するデータラッチ手段と、
前記キャリ信号に応じて前記データラッチ手段からデータ順に整列したＮ個単位の出力データのうち奇数番目の出力データを出力するための第１出力手段と、
前記キャリ信号に応じて前記データラッチ手段からデータ順に整列されたＮ個単位の出力データのうち偶数番目の出力データを出力するための第２出力手段とを含むことを特徴とする請求項１に記載のＸＧＡグラフィックシステム。
【請求項３】
ＸＧＡグラフィックモードで画素データをディスプレイ手段に表示するためのＸＧＡグラフィックシステムにおいて、
ＸＧＡグラフィックモードによる同期信号及びメインクロックを発生し、ディスプレイ手段に表示する画素データを偶数番目のデータと奇数番目のデータとに分けて伝送するグラフィックデータ発生手段と、
所定の偶数個（２Ｍ個、ここで、Ｍは正の整数）の画素データをそれぞれ貯蔵するための二つの貯蔵手段を具備し、前記貯蔵手段に貯蔵された前記画素データによって前記ディスプレイ手段を駆動するためのドライブ手段と、
前記メインクロック周期の２Ｍ倍の周期を有し、前記メインクロックの一周期の間イネーブル状態を有するキャリ信号を２Ｍ個発生し、前記２Ｍ個のキャリ信号は前記メインクロックの周期だけ順次に遅延されるキャリ信号発生手段と、
前記グラフィックデータ発生手段から伝送された２Ｍ個単位の奇数データのうち第１〜第（Ｍ−２）番目のデータが入力され、前記キャリ信号によりデータをラッチ及び出力するための、（Ｍ−２）個のラッチより構成された第１奇数ラッチ手段と、
前記グラフィックデータ発生手段から伝送された２Ｍ個単位の奇数データのうち第（Ｍ−１）及び第Ｍデータが入力され、前記キャリ信号によりデータをラッチ及び出力するための、２個のラッチより構成された第２奇数ラッチ手段と、
前記グラフィックデータ発生手段から伝送された２Ｍ個単位の奇数データのうち第（２Ｍ−１）及び第２Ｍデータが入力され、前記キャリ信号に応じてデータをラッチ及び出力するための、２個のラッチより構成された第３奇数ラッチ手段と、
前記グラフィックデータ発生手段から伝送された２Ｍ個単位の偶数データのうち第１〜第（Ｍ−２）番目のデータがそれぞれ入力され、前記キャリ信号に応じてデータをラッチ及び出力するための、（Ｍ−２）個のラッチより構成された第１偶数ラッチ手段と、
前記グラフィックデータ発生手段から伝送された２Ｍ個単位の偶数データのうち第（Ｍ−１）及びＭデータが入力され、前記キャリ信号によりデータをラッチ及び出力するための、２個のラッチより構成された第２偶数ラッチ手段と、
前記グラフィックデータ発生手段から伝送された２Ｍ個単位の偶数データのうち第（２Ｍ−１）及び第２Ｍデータが入力され、前記キャリ信号に応じてデータをラッチ及び出力するための、２個のラッチより構成された第３偶数ラッチ手段と、
前記キャリ信号に応じて前記第１、第２奇数ラッチ手段及び前記第１、第２偶数ラッチ手段から２Ｍ個単位のデータを前記ドライブ手段の第１貯蔵手段に出力するための第１出力手段と、
前記キャリ信号に応じて前記第１、第３奇数ラッチ手段及び前記第１、第３偶数ラッチ手段から２Ｍ個単位のデータを前記ドライブ手段の第２貯蔵手段に出力するための第２出力手段とを含むことを特徴とするＸＧＡグラフィックシステム。
【請求項４】
前記第１奇数ラッチ手段において（Ｍ−２）個のラッチのうち第Ｋ番目のデータを第Ｋ番目のキャリ信号に応じてラッチし、ラッチされたデータを第２Ｋ番目のキャリ信号に応じて第１出力手段に出力し、
前記グラフィックデータ発生手段から伝送された２Ｍ個単位の奇数データのうち第（Ｍ＋Ｋ）データを第（Ｍ＋Ｋ）番目のキャリ信号に応じてラッチし、ラッチされたデータを第（Ｍ＋２Ｋ）番目のキャリ信号に応じて第２出力手段に出力し、前記ＫはＭ−２以下の整数であることを特徴とする請求項３に記載のＸＧＡグラフィックシステム。
【請求項５】
前記第１偶数ラッチ手段において（Ｍ−２）個のラッチのうち第Ｋ番目のラッチは、前記グラフィックデータ発生手段から伝送された２Ｍ個単位の偶数データのうち第Ｋ番目のデータを第Ｋ番目のキャリ信号に応じてラッチし、ラッチされたデータを第（２Ｋ＋１）番目のキャリ信号に応じて前記第１出力手段に出力し、
前記グラフィックデータ発生手段から伝送された２Ｍ個単位の偶数データのうち第（Ｍ＋Ｋ）番目のデータを第（Ｍ＋Ｋ）番目のキャリ信号に応じてラッチし、ラッチされたデータを第（Ｍ＋２Ｋ＋１）番目のキャリ信号に応じて前記第２出力手段に出力し、前記ＫはＭ−２以下の整数であることを特徴とする請求項３に記載のＸＧＡグラフィックシステム。
【請求項６】
前記第２奇数ラッチ手段において、一つのラッチは前記グラフィックデータ発生手段から伝送された２Ｍ個単位の奇数データのうち第（Ｍ−１）番目のデータを第（Ｍ−１）番目のキャリ信号に応じてラッチし、ラッチされたデータを第２（Ｍ−１）番目のキャリ信号に応じて前記第１出力手段に出力し、
もう一つのラッチは前記グラフィックデータ発生手段から伝送された２Ｍ個単位の奇数データのうち第Ｍ番目のデータを第Ｍ番目のキャリ信号に応じてラッチし、ラッチされたデータを第２Ｍ番目のキャリ信号に応じて前記第１出力手段に出力することを特徴とする請求項３に記載のＸＧＡグラフィックシステム。
【請求項７】
前記第２偶数ラッチ手段において、一つのラッチは前記グラフィックデータ発生手段から伝送された２Ｍ個単位の偶数データのうち第（Ｍ−１）番目のデータを第（Ｍ−１）番目のキャリ信号に応じてラッチし、ラッチされたデータを第（２Ｍ−１）番目のキャリ信号に応じて前記第１出力手段に出力し、
もう一つのラッチは前記グラフィックデータ発生手段から伝送された２Ｍ個単位の偶数データのうち第Ｍ番目のデータを第Ｍ番目のキャリ信号に応じてラッチし、ラッチされたデータを一番目のキャリ信号に応じて前記第１出力手段に出力することを特徴とする請求項３に記載のＸＧＡグラフィックシステム。
【請求項８】
前記第３奇数ラッチ手段において、一つのラッチは、前記グラフィックデータ発生手段から伝送された２Ｍ個単位の奇数データのうち第（２Ｍ−１）番目のデータを第（２Ｍ−１）番目のキャリ信号に応じてラッチし、ラッチされたデータを第（Ｍ−２）番目のキャリ信号に応じて前記第２出力手段に出力し、
もう一つのラッチは前記グラフィックデータ発生手段から伝送された２Ｍ個単位の奇数データのうち第２Ｍ番目のデータを第２Ｍ番目のキャリ信号に応じてラッチし、ラッチされたデータを第Ｍ番目のキャリ信号に応じて前記第２出力手段に出力することを特徴とする請求項３に記載のＸＧＡグラフィックシステム。
【請求項９】
前記第３偶数ラッチ手段において、一つのラッチは前記グラフィックデータ発生手段から伝送された２Ｍ個単位の偶数データのうち第（２Ｍ−１）番目のデータを第（２Ｍ−１）番目のキャリ信号に応じてラッチし、ラッチされたデータを第（Ｍ−１）番目のキャリ信号に応じて前記第２出力手段に出力し、
もう一つのラッチは前記グラフィックデータ発生手段から伝送された２Ｍ個単位の偶数データのうち第２Ｍ番目のデータを第２Ｍ番目のキャリ信号に応じてラッチし、ラッチされたデータを第（Ｍ＋１）番目のキャリ信号に応じて前記第２出力手段に出力することを特徴とする請求項３に記載のＸＧＡグラフィックシステム。
【請求項１０】
ＸＧＡグラフィックモードで画素データをディスプレイ手段に表示するためのＸＧＡグラフィックシステムにおいて、
ＸＧＡグラフィックモードによる同期信号及びメインクロックを発生し、ディスプレイ手段に表示する画素データを偶数番目のデータと奇数番目のデータとに分けて伝送するグラフィックデータ発生手段と、
所定の奇数個（２Ｍ＋１個、ここで、Ｍは正の整数）の画素データを貯蔵するための二つの貯蔵手段を具備し、前記貯蔵手段に貯蔵された前記画素データによって前記ディスプレイ手段を駆動するためのドライブ手段と、
メインクロック周期の（２Ｍ＋１）倍の周期を有し、前記メインクロックの一周期の間イネーブル状態を有するキャリ信号を（２Ｍ＋１）個発生し、前記（２Ｍ＋１）個のキャリ信号は前記メインクロックの周期だけ順に遅延されるキャリ信号発生手段と、
前記グラフィックデータ発生手段から伝送された（２Ｍ＋１）個の奇数データのうち第１〜第（Ｍ−２）及び第（Ｍ＋２）〜第（２Ｍ−１）番目のデータが入力され、前記キャリ信号によりデータをラッチ及び出力するための、（Ｍ−２）個のラッチより構成された第１奇数ラッチ手段と、
前記グラフィックデータ発生手段から伝送された（２Ｍ＋１）個単位の奇数データのうち第（Ｍ−１）、Ｍ、（Ｍ＋１）番目のデータが入力され、前記キャリ信号によりデータをラッチ及び出力するための、３個のラッチより構成された第２奇数ラッチ手段と、
前記グラフィックデータ発生手段から伝送された（２Ｍ＋１）個単位の奇数データのうち第２Ｍ、（２Ｍ＋１）番目のデータが入力され、前記キャリ信号によりデータをラッチ及び出力するための、２個のラッチより構成された第３奇数ラッチ手段と、
前記グラフィックデータ発生手段から伝送された（２Ｍ＋１）個の偶数データのうち第１〜第（Ｍ−２）番目のデータ及び第（Ｍ＋２）〜第（２Ｍ−１）番目のデータが入力され、前記キャリ信号によりデータをラッチ及び出力するための、（Ｍ−２）個のラッチより構成された第１偶数ラッチ手段と、
前記グラフィックデータ発生手段から伝送された（２Ｍ＋１）個単位の偶数データのうち第（Ｍ−１）、Ｍ、（Ｍ＋１）番目のデータが入力され、前記キャリ信号によりデータをラッチ及び出力するための、３個のラッチより構成された第２偶数ラッチ手段と、
前記グラフィックデータ発生手段から伝送された（２Ｍ＋１）個単位の偶数データのうち第２Ｍ、（２Ｍ＋１）番目のデータが入力され、前記キャリ信号によりデータをラッチ及び出力するための、２個のラッチより構成された第３偶数ラッチ手段と、
前記キャリ信号に応じて前記第１，第２奇数ラッチ手段、前記第１偶数ラッチ手段及び前記第２偶数ラッチ手段の第１，第２ラッチから（２Ｍ＋１）個単位のデータを前記ドライブ手段の第１貯蔵手段に出力するための第１出力手段と、
前記キャリ信号に応じて前記第２偶数ラッチ手段の第３ラッチ、前記第１，第３奇数ラッチ手段及び前記第１，第３偶数ラッチ手段から（２Ｍ＋１）個単位のデータを前記ドライブ手段の第２貯蔵手段に出力するための第２出力手段とを含むことを特徴とするＸＧＡグラフィックシステム。
【請求項１１】
前記第１奇数ラッチ手段において（Ｍ−２）個のラッチのうち第Ｋ番目のラッチは、前記グラフィックデータ発生手段から伝送された（２Ｍ＋１）個単位の奇数データのうち第Ｋ番目のデータを第Ｋ番目のキャリ信号に応じてラッチし、ラッチされたデータを第２Ｋ番目のキャリ信号に応じて前記第１出力手段に出力し、
前記グラフィックデータ発生手段から伝送された（２Ｍ＋１）個単位の奇数データのうち第（Ｍ＋Ｋ＋１）データを第（Ｍ＋Ｋ＋１）番目のキャリ信号に応じてラッチし、ラッチされたデータを第（Ｍ＋２（Ｋ＋１））番目のキャリ信号に応じて前記第２出力手段に出力し、前記ＫはＭ−２以下の正の整数であることを特徴とする請求項１０に記載のＸＧＡグラフィックシステム。
【請求項１２】
前記第１偶数ラッチ手段において（Ｍ−２）個のラッチのうち第Ｋ番目のラッチは、前記グラフィックデータ発生手段から伝送された（２Ｍ＋１）個単位の偶数データのうち第Ｋ番目のデータを第Ｋ番目のキャリ信号に応じてラッチし、ラッチされたデータを第（２Ｋ＋１）番目のキャリ信号に応じて前記第１出力手段に出力し、
前記グラフィックデータ発生手段から伝送された（２Ｍ＋１）個単位の偶数データのうち第（Ｍ＋Ｋ＋１）番目のデータを第（Ｍ＋Ｋ＋１）番目のキャリ信号に応じてラッチし、ラッチされたデータを第（Ｍ＋２（Ｋ＋１）＋１）番目のキャリ信号に応じて前記第２出力手段に出力し、前記ＫはＭ−２以下の正の整数であることを特徴とする請求項１０に記載のＸＧＡグラフィックシステム。
【請求項１３】
前記第２奇数ラッチ手段において、第１ラッチは前記グラフィックデータ発生手段から伝送された（２Ｍ＋１）個単位の奇数データのうち第（Ｍ−１）番目のデータを第（Ｍ−１）番目のキャリ信号に応じてラッチし、ラッチされたデータを第（２Ｍ−２）番目のキャリ信号に応じて前記第１出力手段に出力し、
第２ラッチは前記グラフィックデータ発生手段から伝送された（２Ｍ＋１）個単位の奇数データのうち第Ｍ番目のデータを第Ｍ番目のキャリ信号に応じてラッチし、ラッチされたデータを第２Ｍ番目のキャリ信号に応じて前記第１出力手段に出力し、
第３ラッチは前記グラフィックデータ発生手段から伝送された（２Ｍ＋１）個単位の奇数データのうち第（Ｍ＋１）番目のデータを第（Ｍ＋１）番目のキャリ信号に応じてラッチし、ラッチされたデータを一番目キャリ信号に応じて前記第１出力手段に出力することを特徴とする請求項１０に記載のＸＧＡグラフィックシステム。
【請求項１４】
前記第２偶数ラッチ手段において、第１ラッチは、前記グラフィックデータ発生手段から伝送された（２Ｍ＋１）個単位の偶数データのうち第（Ｍ−１）番目のデータを第（Ｍ−１）番目のキャリ信号に応じてラッチし、ラッチされたデータを第（２Ｍ−１）番目のキャリ信号に応じて前記第１出力手段に出力し、
第２ラッチは前記グラフィックデータ発生手段から伝送された（２Ｍ＋１）個単位の偶数データのうち第Ｍ番目のデータを第Ｍ番目のキャリ信号に応じてラッチし、ラッチされたデータを第（２Ｍ＋１）番目のキャリ信号に応じて前記第１出力手段に出力し、
第３ラッチは前記グラフィックデータ発生手段から伝送された（２Ｍ＋１）個単位の偶数データのうち第（Ｍ＋１）番目のデータを第（Ｍ＋１）番目のキャリ信号に応じてラッチし、ラッチされたデータを第（Ｍ＋３）番目のキャリ信号に応じて前記第２出力手段に出力することを特徴とする請求項１０に記載のＸＧＡグラフィックシステム。
【請求項１５】
前記第３奇数ラッチ手段において、一つのラッチは前記グラフィックデータ発生手段から伝送された（２Ｍ＋１）個単位の奇数データのうち第２Ｍ番目のデータを第２Ｍ番目のキャリ信号に応じてラッチし、ラッチされたデータを第（Ｍ−１）番目のキャリ信号に応じて第２出力手段に出力し、
もう一つのラッチは前記グラフィックデータ発生手段から伝送された（２Ｍ＋１）個単位の奇数データのうち第（２Ｍ＋１）番目のデータを第（２Ｍ＋１）番目のキャリ信号に応じてラッチし、ラッチされたデータを第（Ｍ＋１）番目のキャリ信号に応じて前記第２出力手段に出力することを特徴とする請求項１０に記載のＸＧＡグラフィックシステム。
【請求項１６】
前記第３偶数ラッチ手段において、一つのラッチは前記グラフィックデータ発生手段から伝送された（２Ｍ＋１）個単位の偶数データのうち第２Ｍ番目のデータを第２Ｍ番目のキャリ信号に応じてラッチし、ラッチされたデータを第Ｍ番目のキャリ信号に応じて前記第２出力手段に出力し、
もう一つのラッチは前記グラフィックデータ発生手段から伝送された（２Ｍ＋１）個単位の偶数データのうち第（２Ｍ＋１）番目のデータを第（２Ｍ＋１）番目のキャリ信号に応じてラッチし、ラッチされたデータを第（Ｍ＋２）番目のキャリ信号に応じて前記第２出力手段に出力することを特徴とする請求項１０に記載のＸＧＡグラフィックシステム。
【発明の詳細な説明】
【０００１】
【発明の属する技術分野】
本発明はＸＧＡ(extended graphic array)グラフィックシステムに係り、特にダブルバンクに入力されるデータをシングルバンクに変換して処理するためのＸＧＡグラフィックシステムに関する。
【０００２】
【従来の技術】
図１３は従来の技術によるグラフィックシステムの構成ブロック図である。ＰＣ−ＳＥＴ１３１はＸＧＡ用グラフィックカード付きコンピュータであり、ＸＧＡグラフィックモードのための制御信号及びデータ信号を発生する。ここで、制御信号には垂直同期信号（Ｖｓｙｎｃ）、水平同期信号（Ｈｓｙｎｃ）、データイネーブル信号（ＤＥ）及びメインクロック（ＭＣＬＫ）などがある。そしてデータ信号は画面に表示される画素データであって、偶数番目のデータ（ＩＮ Ｂ）と奇数番目のデータ（ＩＮ Ａ）とに分けて伝送される。
【０００３】
インターフェース部（Ｉ／Ｆ  ＩＣ）１３３はＰＣ−ＳＥＴ１３１から伝送された制御信号及びデータ信号に応じて３個のドライブ部、即ちゲートドライブ部（ＧＡＴＥ  ＩＣ）１３７、上位ソースドライブ部（ＵＰ  ＳＯＵＲＣＥ  ＩＣ）１３８、下位ソースドライブ部（ＤＯＷＮ  ＳＯＵＲＣＥ  ＩＣ）１３９を制御する。インターフェース部１３３は上位ソースドライブ部（ＵＰ  ＳＯＵＲＣＥ  ＩＣ）１３８に偶数番目のデータＩＮ Ｂを伝送し、下位ソースドライブ部（ＤＯＷＮ  ＳＯＵＲＣＥ  ＩＣ）１３９には奇数番目のデータＩＮ Ａを伝送する。ＬＣＤパネル１３５はゲートドライブ部（ＧＡＴＥ  ＩＣ）１３７、上位ソースドライブ部１３８及び下位ソースドライブ部１３９により駆動される。
【０００４】
図１４は図１３の従来のインターフェース部１３３の動作を説明するための図面である。偶数番目のデータＩＮ Ｂはフリップフロップ１４１を通じて順に上位ソースドライブ部（ＵＰ  ＳＯＵＲＣＥ  ＩＣ）１３８に伝送される。さらに、奇数番目のデータＩＮ Ａもフリップフロップ１４２を通じて順に下位ソースドライブ部（ＤＯＷＮ  ＳＯＵＲＣＥ  ＩＣ）１３９に伝送される。これらデータ伝送はメインクロックＭＣＬＫに同期されて処理される。ＬＣＤパネル１３５は上位ソースドライブ部１３８及び下位ソースドライブ部１３９により駆動される。
【０００５】
従って、従来のグラフィックシステムは順次入力されるデータを順次出力する回路には向いているが、そのデータを一時的に貯蔵したりデータの順序を変えて出力する回路には不向きである。そして高周波数のメインクロックＭＣＬＫによりデータを処理することによって電磁気障害が発生する可能性が高く、且つメインクロックの状態の遷移が多くて電力が多量消耗される。
【０００６】
【発明が解決しようとする課題】
従って、本発明の目的はＸＧＡグラフィックモードで偶数番目のデータと奇数番目のデータとに分けて伝送された画素データをデータ順に整列して処理するためのＸＧＡグラフィックシステムを提供するにある。
【０００７】
【課題を解決するための手段】
前記の目的を達成するために本発明によるＸＧＡグラフィックシステムは、ＸＧＡグラフィックモードで画素データをディスプレイ手段に表示するためのＸＧＡグラフィックシステムにおいて、ＸＧＡグラフィックモードによる同期信号及びメインクロックを発生し、ディスプレイ手段に表示する画素データを偶数番目のデータと奇数番目のデータとに分けて伝送するグラフィックデータ発生手段と、所定個数（Ｎ個）の画素データを貯蔵するための二つの貯蔵手段を具備し、前記貯蔵手段に貯蔵された前記画素データによって前記ディスプレイ手段を駆動するためのドライブ手段と、前記グラフィックデータ発生手段及び前記ドライブ手段をインターフェースするために、前記メインクロックの１周期と同期間中にイネーブル状態を有するキャリア信号に応じて前記ドライブ手段の前記貯蔵手段に貯蔵される画素データの個数（Ｎ個）単位で前記偶数番目データと前記奇数番目のデータをデータ順に整列し、前記データ順に整列されたＮ個単位の出力データのうち奇数番目の出力データと偶数番目の出力データを前記ドライブ手段の前記二つの貯蔵手段にそれぞれ出力するためのインターフェース手段とを含むことを特徴とする。
【０００８】
【発明の実施の形態】
以下、添付した図面に基づき本発明を詳細に説明する。
【０００９】
図１は本発明によるＸＧＡグラフィックシステムの構成ブロック図である。
【００１０】
ＰＣ−ＳＥＴ１１はＸＧＡ用グラフィックカード付きコンピュータであり、ＸＧＡグラフィックモードのための制御信号及びデータ信号を発生する。データ信号は奇数番目のデータＩＮ Ａ及び偶数番目のデータＩＮ Ｂに分けて伝送する。
【００１１】
ソースドライブ部１５は所定個数（Ｎ個）の画素データを貯蔵するための二つのメモリを具備し、メモリに貯蔵された画素データによってＬＣＤパネル１７を駆動する。
【００１２】
インターフェース部１８はＰＣ−ＳＥＴ１１とソースドライブ部１５をインターフェースするために、キャリ信号発生部１８３、データラッチ部１８１、ＯＵＴ Ａ出力部１８５及びＯＵＴ Ｂ出力部１８７を具備する。
【００１３】
キャリ信号発生部１８３はメインクロック周期のＮ倍の周期を有し、メインクロックの一周期の間イネーブル状態を有するＮ個のキャリ信号を発生する。ここで、第１キャリ信号乃至第Ｎキャリ信号はその信号のイネーブル状態がメインクロック周期の単位だけ順に遅延される。データラッチ部１８１はＮ個以上のラッチを具備し、前記キャリ信号に応じて偶数番目のデータと奇数番目のデータをそれぞれ違うラッチに貯蔵する。ＯＵＴ Ａ出力部１８５はキャリ信号に応じてデータラッチ部１８１でデータ順に整列されたＮ個単位の出力データのうち奇数番目の出力データをソースドライブ部１５の第１メモリ（図示せず）に出力し、ＯＵＴ Ｂ出力部１８７はキャリ信号に応じてデータラッチ部１８１からデータ順に整列されたＮ個単位の出力データのうち偶数番目の出力データをソースドライブ部１５の第２メモリ（図示せず）に出力する。
【００１４】
即ち、インターフェース部１８はメインクロックＭＣＬＫを２分周した制御信号に応じてソースドライブ部１５のメモリに貯蔵される画素データの個数（Ｎ個）単位でＰＣ−ＳＥＴ１１から伝送される偶数番目のデータと奇数番目のデータをデータ順に整列し、データ順に整列されたＮ個単位の出力データをソースドライブ部１５の二つのメモリに交互に出力する。
【００１５】
図２乃至図４は図１のソースドライブ部１５の各メモリに貯蔵される画素データの個数が偶数（Ｎ＝２Ｍ、ここで、Ｍは正の整数）時のインターフェース部１８の詳細な構成を示した図面である。図２はデータラッチ部１８１の構成を、図３はＯＵＴ Ａ出力部１８５の構成を、そして図４はＯＵＴ Ｂ出力部１８７の構成を示しており、キャリ信号発生部１８３の構成は示さなかった。本実施例においてそのメモリに貯蔵される画素データの数はそれぞれ１０個であり、この場合Ｍ＝５である。
【００１６】
ここで、ＩＮ Ａ２１１はＰＣ−ＳＥＴ１１から伝送された奇数番目の画素データ、ＩＮ Ｂ２１２はＰＣ−ＳＥＴ１１から伝送された偶数番目の画素データ、ＣＡＲＲＹ１〜１０はキャリ信号発生部１８３から発生されたキャリ信号、ＯＵＴ  ＡはＮ個単位の出力データのうち奇数番目の出力データ、そしてＯＵＴ  ＢはＮ個単位の出力データのうち偶数番目の出力データを意味する。
【００１７】
図２に示したデータラッチ部はＩＮ Ａ２１１の入力される５個のフリップフロップ（ＦＯ１〜ＦＯ５）２２１，２２３、２２５、２２７、２２９と２個のフリップフロップ（ＦＯＸ１、ＦＯＸ２）２３１、２３３及びＩＮ Ｂ２１２の入力される５個のフリップフロップ（ＦＥ１〜ＦＥ５）２２２、２２４、２２６、２２８、２３０と２個のフリップフロップ（ＦＥＸ１、ＦＥＸ２）２３２、２３４より構成される。
【００１８】
ここで、奇数番目のデータの入力される奇数フリップフロップはＩＮ Ａ２１１を通じて伝送された２Ｍ個単位の奇数テータのうち第１〜第（Ｍ−２）番目のデータが入力され、キャリ信号によりデータをラッチ及び出力するための、（Ｍ−２）個のラッチより構成された第１奇数ラッチ部、ＩＮ Ａ２１１を通じて伝送された２Ｍ個単位の奇数データのうち第（Ｍ−１）及びＭデータが入力され、キャリ信号によりデータをラッチ及び出力するための、２個のラッチより構成された第２奇数ラッチ部及びＩＮ Ａ２１１を通じて伝送された２Ｍ個単位の奇数データのうち第（２Ｍ−１）及び第２Ｍデータが入力され、キャリ信号によりデータをラッチ及び出力するための、２個のラッチより構成された第３奇数ラッチ部に分けられる。
【００１９】
そして、偶数番目の入力データの入力される偶数フリップフロップはＩＮ Ｂ２１２を通じて伝送されたＭ個単位の偶数データのうち第１〜第（Ｍ−２）番目のデータがそれぞれ入力され、キャリ信号によりデータをラッチ及び出力するための、（Ｍ−２）個のラッチより構成された第１偶数ラッチ部、ＩＮ Ｂ２１２を通じて伝送された２Ｍ個単位の偶数データのうち第（Ｍ−１）及びＭデータが入力され、キャリ信号によりデータをラッチ及び出力するための、２個のラッチより構成された第２偶数ラッチ部及びＩＮ Ｂ２１２を通じて伝送された２Ｍ個単位の偶数データのうち第（２Ｍ−１）及び第２Ｍデータが入力され、キャリ信号によりデータをラッチ及び出力するための、２個のラッチより構成された第３偶数ラッチ部に分けられる。
【００２０】
本実施例においてＮ＝１０、Ｍ＝５なので、第１奇数ラッチ部はフリップフロップＦＯ１〜ＦＯ３  ２２１，２２３，２２５、第２奇数ラッチ部はフリップフロップＦＯ４，ＦＯ５  ２２７，２２９、第３奇数ラッチ部はフリップフロップＦＯＸ１，ＦＯＸ２  ２３１，２３３、第１偶数ラッチ部はフリップフロップＦＥ１〜ＦＥ３  ２２２，２２４，２２６、第２偶数ラッチ部はフリップフロップＦＥ４，ＦＥ５  ２２８，２３０、第３偶数ラッチ部はフリップフロップＦＥＸ１，ＦＥＸ２  ２３２，２３４より構成される。
【００２１】
図３のＯＵＴ Ａ出力部はフリップフロップの出力データ及びキャリ信号が入力される１０個のＡＮＤゲート２６１〜２７０、そしてＡＮＤゲート２６１〜２７０の出力信号が入力されてＯＵＴ Ａを出力するＯＲ回路２５より構成され、所定のキャリ信号に応じて第１、第２奇数ラッチ部及び第１、第２偶数ラッチ部から伝送された２Ｍ個単位のデータＡ，Ｂ，Ｃ，Ｄ，Ｅ，Ｆ，Ｇ，Ｈ，Ｉ及びＪをソースドライブ部１５の第１メモリに出力する。
【００２２】
そして、図４のＯＵＴ Ｂ出力部はフリップフロップの出力データ及びキャリ信号の入力される１０個のＡＮＤゲート２８１乃至２９０、そしてＡＮＤゲート２８１乃至２９０の出力信号が入力されてＯＵＴ Ｂを出力するＯＲ回路２９より構成され、所定のキャリ信号により第１、第３奇数ラッチ部及び第１、第３偶数ラッチ部より伝送された２Ｍ個単位のデータＡ，Ｂ，Ｃ，Ｄ，Ｅ，Ｆ，Ｋ，Ｌ，Ｍ及びＮをソースドライブ部１５の第２メモリに出力する。
【００２３】
先ず、図２を参照して、入力データがキャリ信号により各フリップフロップにラッチされる動作について説明する。
【００２４】
第１奇数及び第１偶数フリップフロップＦＯ１，ＦＥ１  ２２１，２２２は第１キャリ信号ＣＡＲＲＹ１及び第６キャリ信号ＣＡＲＲＹ６をＯＲゲート２４１で論理和した信号に応じて入力データをラッチし、第２奇数及び第２偶数フリップフロップＦＯ２，ＦＥ２  ２２３，２２４は第２キャリ信号ＣＡＲＲＹ２及び第７キャリ信号ＣＡＲＲＹ７）をＯＲゲート２４２で論理和した信号に応じて入力データをラッチし、第３奇数及び第３偶数フリップフロップＦＯ３，ＦＥ３  ２２５，２２６は第３キャリ信号ＣＡＲＲＹ３及び第８キャリ信号ＣＡＲＲＹ８をＯＲゲート２４３で論理和した信号に応じて入力データをラッチし、第４奇数及び第４偶数フリップフロップＦＯ４，ＦＥ４  ２２７，２２８は第４キャリ信号ＣＡＲＲＹ４により入力データをラッチし、第５奇数及び第５偶数フリップフロップＦＯ５，ＦＥ５  ２２９，２３０は第５キャリ信号ＣＡＲＲＹ５に応じて入力データをラッチし、第１奇数追加フリップフロップ及び第１偶数追加フリップフロップＦＯＸ１，ＦＥＸ１  ２３１，２３２は第９キャリ信号ＣＡＲＲＹ９に応じて入力データをラッチし、そして第２奇数追加フリップフロップ及び第２偶数追加フリップフロップＦＯＸ２，ＦＥＸ２  ２３３，２３４は第１０キャリ信号ＣＡＲＲＹ１０により入力データをラッチする。
【００２５】
データをラッチしている各フリップフロップは次のキャリ信号により次の入力テータがラッチされるまで現在のデータをそのまま貯蔵する。
【００２６】
次に、図３を参照して各フリップフロップにラッチされたデータがキャリ信号によりＯＵＴ Ａに出力される動作について説明する。
【００２７】
第１奇数フリップフロップＦＯ１  ２２１にラッチされたデータＡは第２キャリ信号ＣＡＲＲＹ２が“ＨＩＧＨ”（イネーブル状態）の間に、第１偶数フリップフロップＦＥ１  ２２２にラッチされたデータＢは第３キャリ信号ＣＡＲＲＹ３が“ＨＩＧＨ”の間に、第２奇数フリップフロップＦＯ２  ２２３にラッチされたデータＣは第４キャリ信号ＣＡＲＲＹ４が“ＨＩＧＨ”の間に、第２偶数フリップフロップＦＥ２  ２２４にラッチされたデータＤは第５キャリ信号ＣＡＲＲＹ５が“ＨＩＧＨ”の間に、第３奇数フリップフロップＦＯ３  ２２５にラッチされたデータＥは第６キャリ信号ＣＡＲＲＹ６が“ＨＩＧＨ”の間に、第３偶数フリップフロップＦＥ３  ２２６にラッチされたデータＦは第７キャリ信号ＣＡＲＲＹ７が“ＨＩＧＨ”の間に、第４奇数フリップフロップＦＯ４  ２２７にラッチされたデータＧは第８キャリ信号ＣＡＲＲＹ８が“ＨＩＧＨ”の間に、第４偶数フリップフロップＦＥ４  ２２８にラッチされたデータＨは第９キャリ信号ＣＡＲＲＹ９が“ＨＩＧＨ”の間に、第５奇数フリップフロップＦＯ５  ２２９にラッチされたデータＩは第１０キャリ信号ＣＡＲＲＹ１０が“ＨＩＧＨ”の間に、そして第５偶数フリップフロップＦＥ５  ２３０にラッチされたデータＪは第１キャリ信号ＣＡＲＲＹ１が“ＨＩＧＨ”の間にそれぞれＯＲ回路２５に順に出力される。
【００２８】
即ち、ＯＲ回路２５はキャリ信号のうち“ＨＩＧＨ”よりなるキャリ信号により選択されたフリップフロップの出力データを前記のような順序によりＯＵＴ Ａに出力する。従って、フリップフロップにラッチされたデータＡ〜Ｊがキャリ信号ＣＡＲＲＹ２〜ＣＡＲＲＹ１０、ＣＡＲＲＹ１により順にＯＵＴ Ａに出力され、ＯＵＴ Ａに出力されるデータは第１〜第１０データ、第２１〜第３０データなどの１０個単位のデータである。
【００２９】
次いで、図４を参照して各フリップフロップにラッチされたデータがキャリ信号によりＯＵＴ Ｂに出力される動作について説明する。
【００３０】
第１奇数フリップフロップＦＯ１  ２２１にラッチされたデータＡは第７キャリ信号ＣＡＲＲＹ７が“ＨＩＧＨ”の間に、第１偶数フリップフロップＦＥ１  ２２２にラッチされたデータＢは第８キャリ信号ＣＡＲＲＹ８が“ＨＩＧＨ”の間に、第２奇数フリップフロップＦＯ２  ２２３にラッチされたデータＣは第９キャリ信号ＣＡＲＲＹ９が“ＨＩＧＨ”の間に、第２偶数フリップフロップＦＥ２  ２２４にラッチされたデータＤは第１０キャリ信号ＣＡＲＲＹ１０が“ＨＩＧＨ”の間に、第３奇数フリップフロップＦＯ３  ２２５にラッチされたデータＥは第１キャリ信号ＣＡＲＲＹ１が“ＨＩＧＨ”の間に、第３偶数フリップフロップＦＥ３  ２２６にラッチされたデータＦは第２キャリ信号ＣＡＲＲＹ２が“ＨＩＧＨ”の間に、第１奇数追加フリップフロップＦＯＸ１  ２３１にラッチされたデータＫは第３キャリ信号ＣＡＲＲＹ３が“ＨＩＧＨ”の間に、第１偶数追加フリップフロップＦＥＸ１  ２３２にラッチされたデータＬは第４キャリ信号ＣＡＲＲＹ４が“ＨＩＧＨ”の間に、第２奇数追加フリップフロップＦＯＸ２  ２３３にラッチされたデータＭは第５キャリ信号ＣＡＲＲＹ５が“ＨＩＧＨ”の間に、第２偶数追加フリップフロップＦＥＸ２  ２３４にラッチされたデータＮは第６キャリ信号ＣＡＲＲＹ６が“ＨＩＧＨ”の間にそれぞれＯＲ回路２９に順次出力される。
【００３１】
即ち、ＯＲ回路２９はキャリ信号のうち“ＨＩＧＨ”よりなるキャリ信号により選択されたフリップフロップのデータを前記のような順序によりＯＵＴ Ｂに出力する。従って、フリップフロップにラッチされたデータＡ〜Ｆ，Ｋ〜Ｎがキャリ信号ＣＡＲＲＹ７〜ＣＡＲＲＹ１０、ＣＡＲＲＹ１〜ＣＡＲＲＹ６により順にＯＵＴ Ｂに出力され、ＯＵＴ Ｂに出力されるデータは第１１〜第２０データ、第３１〜第４０データなどの１０個単位のデータである。
【００３２】
以上説明したように、ＯＵＴ Ａ出力は第１〜第５奇数フリップフロップＦＯ１〜ＦＯ５  ２２１，２２３，２２５，２２７，２２９及び第１〜第５偶数フリップフロップＦＥ１〜ＦＥ５  ２２２，２２４，２２６，２２８，２３０にラッチされたデータにより形成され、ＯＵＴ Ｂ出力は第１〜第３奇数フリップフロップＦＯ１〜ＦＯ３  ２２１，２２３，２２５、第１〜第３偶数フリップフロップＦＥ１〜ＦＥ３  ２２２，２２４，２２６及び第１〜第２追加フリップフロップＦＯＸ１，ＦＯＸ２，ＦＥＸ１，ＦＥＸ２  ２３１，２３３，２３２，２３４にラッチされたデータにより形成される。
【００３３】
図５乃至図６は図２乃至図４に示したインターフェース部の動作を説明するためのタイミング図である。
【００３４】
図５Ａ1はメインクロックＭＣＬＫの波形、図５Ｂ1は奇数番目の入力データであるＩＮ Ａの波形、図５Ｃ1は偶数番目の入力データであるＩＮ Ｂの波形を示したものであり、各入力データはメインクロックの周期単位に入力される。
【００３５】
図５Ａ2乃至図５Ｊ2はキャリ信号ＣＡＲＲＹ１〜ＣＡＲＲＹ１０の波形を示したものである。第１キャリ信号ＣＡＲＲＹ１（図５Ａ2）はメインクロックＭＣＬＫの第１上昇エッジで“ＨＩＧＨ”となりメインクロックＭＣＬＫの第２上昇エッジで“ＬＯＷ”となり（Ｃ１）、再びメインクロックＭＣＬＫの第１１上昇エッジで“ＨＩＧＨ”となりメインクロックＭＣＬＫの第１２上昇エッジで“ＬＯＷ”となり（Ｃ１１）、このように第１キャリ信号ＣＡＲＲＹ１はメインクロックＭＣＬＫの第１、１１、２１、３１、４１、．．．番目の上昇エッジで“ＨＩＧＨ”となりメインクロックＭＣＬＫの第２、１２、２２、３２、４２、．．．番目の上昇エッジで“ＬＯＷ”となる。第２キャリ信号ＣＡＲＲＹ２（図５Ｂ2）はメインクロックＭＣＬＫの第２、１２、２２、３２、．．．番目の上昇エッジで“ＨＩＧＨ”となり、メインクロックＭＣＬＫの第３、１３、２３、３３、．．．番目の上昇エッジで“ＬＯＷ”となる。第３〜第１０キャリ信号（図５Ｃ2乃至図５Ｊ2）も前記のような方法で発生し、キャリ信号の番号順序通りにメインクロックのＭＣＬＫの一周期の差で順に“ＨＩＧＨ”となる。そして、これら全てのキャリ信号はその周期がメインクロック周期の１０（＝Ｎ）倍の周期を有し、そのデューティサイクルは１０％（＝１／Ｎ×１００％）である。
【００３６】
図６Ａ乃至図６Ｎは各サイクル別にフリップフロップＦＯ１〜ＦＯ５、ＦＥ１〜ＦＥ５、ＦＯＸ１、ＦＯＸ２、ＦＥＸ１、ＦＥＸ２にラッチされるデータを示している。ここに示された数字は入力データの順番であり、入力データ上に表示されたＣＸ（Ｘ＝１〜２０の整数）は入力テータをフリップフロップにラッチさせるキャリ信号の順番である。
【００３７】
そして、図６Ａ1はソースドライブ部１５の第１メモリに出力されるデータを示した図面であり、図６Ｂ1はソースドライブ部１５の第２メモリに出力されるデータを示したものである。
【００３８】
次に、キャリ信号により各フリップフロップに入力データのラッチされる動作を詳細に説明する。
【００３９】
第１奇数フリップフロップＦＯ１  ２２１は第１キャリ信号ＣＡＲＲＹ１のＣ１によりＩＮ Ａの第１データを、第６キャリ信号ＣＡＲＲＹ６のＣ６によりＩＮ Ａの第１１データを、第１キャリ信号ＣＡＲＲＹ１のＣ１１によりＩＮ Ａの第２１データを、第６キャリ信号ＣＡＲＲＹ６のＣ１６によりＩＮ Ａの第３１データを、そしてこのような方法で第１及び第６キャリ信号により（Ｎ×ｋ＋１）番目のデータをラッチする。ここで、Ｎ＝１０、ｋ＝０，１，２，３，．．．である。
【００４０】
第１偶数フリップフロップＦＥ１  ２２２は第１キャリ信号ＣＡＲＲＹ１のＣ１によりＩＮ Ｂの第２データを、第６キャリ信号ＣＡＲＲＹ６のＣ６によりＩＮ Ｂの第１２データを、第１キャリ信号ＣＡＲＲＹ１のＣ１１によりＩＮ Ｂの第２２データを、第６キャリ信号ＣＡＲＲＹ６のＣ１６によりＩＮ Ｂの第３２データを、そしてこのような方法で第１及び第６キャリ信号により（Ｎ×ｋ＋２）番目のデータをラッチする。
【００４１】
第２奇数フリップフロップＦＯ２  ２２３は第２キャリ信号ＣＡＲＲＹ２のＣ２によりＩＮ Ａの第３データを、第７キャリ信号ＣＡＲＲＹ７のＣ７によりＩＮ Ａの第１３データを、第２キャリ信号ＣＡＲＲＹ２のＣ１２によりＩＮ Ａの第２３データを、第７キャリ信号ＣＡＲＲＹ７のＣ１７によりＩＮ Ａの第３３データを、そしてこのような方法で第２及び第７キャリ信号により（Ｎ×ｋ＋３）番目のデータをラッチする。
【００４２】
第２偶数フリップフロップＦＥ２  ２２４は第２キャリ信号ＣＡＲＲＹ２のＣ２によりＩＮ Ｂの第４データを、第７キャリ信号ＣＡＲＲＹ７のＣ７によりＩＮ Ｂの第１４データを、第２キャリ信号ＣＡＲＲＹ２のＣ１２によりＩＮ Ｂの第２４データを、第７キャリ信号ＣＡＲＲＹ７のＣ１７によりＩＮ Ｂの第３４データを、そしてこのような方法で第２及び第７キャリ信号により（Ｎ×ｋ＋４）番目のデータをラッチする。
【００４３】
第３奇数フリップフロップＦＯ３  ２２５は第３キャリ信号ＣＡＲＲＹ３のＣ３によりＩＮ Ａの第５データを、第８キャリ信号ＣＡＲＲＹ８のＣ８によりＩＮ Ａの第１５データを、第３キャリ信号ＣＡＲＲＹ３のＣ１３によりＩＮ Ａの第２５データを、第８キャリ信号ＣＡＲＲＹ８のＣ１８によりＩＮ Ａの第３５データを、そしてこのような方法で第３及び第８キャリ信号により（Ｎ×ｋ＋５）番目のデータをラッチする。
【００４４】
第３偶数フリップフロップＦＥ３  ２２６は第３キャリ信号ＣＡＲＲＹ３のＣ３によりＩＮ Ｂの第６データを、第８キャリ信号ＣＡＲＲＹ８のＣ８によりＩＮ Ｂの第１６データを、第３キャリ信号ＣＡＲＲＹ３のＣ１３によりＩＮ Ｂの第２６データを、第８キャリ信号ＣＡＲＲＹ８のＣ１８によりＩＮ Ｂの第３６データを、そしてこのような方法で第３及び第８キャリ信号により（Ｎ×ｋ＋６）番目のデータをラッチする。
【００４５】
第４奇数フリップフロップＦＯ４  ２２７は第４キャリ信号ＣＡＲＲＹ４のＣ４によりＩＮ Ａの第７データを、第４キャリ信号ＣＡＲＲＹ４のＣ１４によりＩＮ Ａの第２７データを、そしてこのような方法で第４キャリ信号により（Ｎ×２ｋ＋７）番目のデータをラッチする。
【００４６】
第４偶数フリップフロップＦＥ４  ２２８は第４キャリ信号ＣＡＲＲＹ４のＣ４によりＩＮ Ｂの第８データを、第４キャリ信号ＣＡＲＲＹ４のＣ１４によりＩＮ Ｂの第２８データを、そしてこのような方法で第４キャリ信号により（Ｎ×２ｋ＋８）番目のデータをラッチする。
【００４７】
第５奇数フリップフロップＦＯ５  ２２９は第５キャリ信号ＣＡＲＲＹ５のＣ５によりＩＮ Ａの第９データを、第５キャリ信号ＣＡＲＲＹ５のＣ１５によりＩＮ Ａの第２９データを、そしてこのような方法で第５キャリ信号により（Ｎ×２ｋ＋９）番目のデータをラッチする。
【００４８】
第５偶数フリップフロップＦＥ５  ２３０は第５キャリ信号ＣＡＲＲＹ５のＣ５によりＩＮ Ｂの第１０データを、第５キャリ信号ＣＡＲＲＹ５のＣ１５によりＩＮ Ｂの第３０データを、そしてこのような方法で第５キャリ信号により（Ｎ×２ｋ＋１０）番目のデータをラッチする。
【００４９】
第１奇数追加フリップフロップＦＯＸ１  ２３１は第９キャリ信号ＣＡＲＲＹ９のＣ９によりＩＮ Ａの第１７データを、第９キャリ信号ＣＡＲＲＹ９のＣ１９によりＩＮ Ａの第３７データを、そしてこのような方法で第９キャリ信号により（Ｎ×２ｋ＋１７）番目のデータをラッチする。
【００５０】
第１偶数追加フリップフロップＦＥＸ１  ２３２は第９キャリ信号ＣＡＲＲＹ９のＣ９によりＩＮ Ｂの第１８データを、第９キャリ信号ＣＡＲＲＹ９のＣ１９によりＩＮ Ｂの第３８データを、そしてこのような方法で第９キャリ信号により（Ｎ×２ｋ＋１８）番目のデータをラッチする。
【００５１】
第２奇数追加フリップフロップＦＯＸ２  ２３３は第１０キャリ信号ＣＡＲＲＹ１０のＣ１０によりＩＮ Ａの第１９データを、第１０キャリ信号ＣＡＲＲＹ１０のＣ２０によりＩＮ Ａの第３９データを、そしてこのような方法で第１０キャリ信号により（Ｎ×２ｋ＋１９）番目のデータをラッチする。
【００５２】
第２偶数追加フリップフロップＦＥＸ２  ２３４は第１０キャリ信号ＣＡＲＲＹ１０のＣ１０によりＩＮ Ｂの第２０データを、第１０キャリ信号ＣＡＲＲＹ１０のＣ２０によりＩＮ Ｂの第４０データを、そしてこのような方法で第１０キャリ信号により（Ｎ×２ｋ＋２０）番目のデータをラッチする。
【００５３】
前述したような各フリップフロップにおけるデータのラッチ動作はメインクロックＭＣＬＫの２０周期Ｃ１〜Ｃ２０単位で４０個単位の入力データに対して繰り返し行う。
【００５４】
次に、前述したように各フリップフロップにラッチされたデータがキャリ信号によりＯＵＴ Ａ及びＯＵＴ Ｂに出力される動作を詳細に説明する。
【００５５】
ＯＵＴ Ａは一番目の１０個のデータを、その次に１０個のデータを飛ばして第２１番目のデータから１０個のデータを順に出力し、ＯＵＴ Ｂは第１１番目のデータから１０個のデータを、その次に１０個のデータを飛ばして第３１番目のデータから１０個のデータを順に出力し、これらＯＵＴ ＡとＯＵＴ Ｂに出力されるデータはメインクロックＭＣＬＫの最初の幾つかのサイクルを除いては同時に形成される。
【００５６】
ＯＵＴ Ａに出力される第１〜第１０データは第１〜第５奇数フリップフロップと第１〜第５偶数フリップフロップにラッチされたデータにより形成され、このデータがキャリ信号により如何にデータ順に整列されて順次出力されるかを調べてみる。
【００５７】
第１奇数フリップフロップＦＯ１  ２２１にラッチされた第１データは第２キャリ信号ＣＡＲＲＹ２のＣ２により出力され、第１偶数フリップフロップＦＥ１２２２にラッチされた第２データは第３キャリ信号ＣＡＲＲＹ３のＣ３により出力される。
【００５８】
第２奇数フリップフロップＦＯ２  ２２３にラッチされた第３データは第４キャリ信号ＣＡＲＲＹ４のＣ４により出力され、第２偶数フリップフロップＦＥ２２２４にラッチされた第４データは第５キャリ信号ＣＡＲＲＹ５のＣ５により出力される。
【００５９】
第３奇数フリップフロップＦＯ３  ２２５にラッチされた第５データは第６キャリ信号ＣＡＲＲＹ６のＣ６により出力され、第３偶数フリップフロップＦＥ３２２６にラッチされた第６データは第７キャリ信号ＣＡＲＲＹ７のＣ７により出力される。
【００６０】
第４奇数フリップフロップＦＯ４  ２２７にラッチされた第７データは第８キャリ信号ＣＡＲＲＹ８のＣ８により出力され、第４偶数フリップフロップＦＥ４２２８にラッチされた第８データは第９キャリ信号ＣＡＲＲＹ９のＣ９により出力される。
【００６１】
第５奇数フリップフロップＦＯ５  ２２９にラッチされた第９データは第１０キャリ信号ＣＡＲＲＹ１０のＣ１０により出力され、第５偶数フリップフロップＦＥ５  ２３０にラッチされた第１０データは第１キャリ信号ＣＡＲＲＹ１のＣ１１により出力される。
【００６２】
次に、ＯＵＴ Ｂに出力される第１１〜第２０データは第１〜第３奇数フリップフロップ、第１〜第３偶数フリップフロップ、第１、第２奇数追加フリップフロップ及び第１、第２偶数追加フリップフロップにラッチされたデータにより形成され、このデータがキャリ信号により如何にデータ順に整列されて順次出力されるかを調べてみる。
【００６３】
第１奇数フリップフロップＦＯ１  ２２１にラッチされた第１１データは第７キャリ信号ＣＡＲＲＹ７のＣ７により出力され、第１偶数フリップフロップＦＥ１  ２２２にラッチされた第１２データは第８キャリ信号ＣＡＲＲＹ８のＣ８により出力される。
【００６４】
第２奇数フリップフロップＦＯ２  ２２３にラッチされた第１３データは第９キャリ信号ＣＡＲＲＹ９のＣ９により出力され、第２偶数フリップフロップＦＥ２  ２２４にラッチされた第１４データは第１０キャリ信号ＣＡＲＲＹ１０のＣ１０により出力される。
【００６５】
第３奇数フリップフロップＦＯ３  ２２５にラッチされた第１５データは第１キャリ信号ＣＡＲＲＹ１のＣ１１により出力され、第３偶数フリップフロップＦＥ３  ２２６にラッチされた第１６データは第２キャリ信号ＣＡＲＲＹ２のＣ１２により出力される。
【００６６】
第１奇数追加フリップフロップＦＯＸ１  ２３１にラッチされた第１７データは第３キャリ信号ＣＡＲＲＹ３のＣ１３により出力され、第１偶数追加フリップフロップＦＥＸ１  ２３２にラッチされた第１８データは第４キャリ信号ＣＡＲＲＹ４のＣ１４により出力される。
【００６７】
第２奇数追加フリップフロップＦＯＸ２  ２３３にラッチされた第１９データは第５キャリ信号ＣＡＲＲＹ５のＣ１５により出力され、第２偶数追加フリップフロップＦＥＸ２  ２３４にラッチされた第２０データは第６キャリ信号ＣＡＲＲＹ６のＣ１６により出力される。
【００６８】
前述したインターフェース部におけるデータの入出力に対する動作をキャリ信号の周期別に調べてみる。
【００６９】
第１キャリ信号ＣＡＲＲＹ１のＣ１の間に第１及び第２データが第１奇数及び第１偶数フリップフロップＦＯ１  ２２１及びＦＥ１  ２２２にそれぞれラッチされ、ラッチされたデータは第６キャリ信号ＣＡＲＲＹ６のＣ６が発生する前まで持続される。
【００７０】
第２キャリ信号ＣＡＲＲＹ２のＣ２の間に第３及び第４データが第２奇数及び第２偶数フリップフロップＦＯ２  ２２３及びＦＥ２  ２２４にそれぞれラッチされ、ラッチされたデータは第７キャリ信号ＣＡＲＲＹ７のＣ７が発生する前まで持続されると同時に第１奇数フリップフロップＦＯ１  ２１にラッチされている第１データがＯＵＴ Ａに出力される。
【００７１】
第３キャリ信号ＣＡＲＲＹ３のＣ３の間に第５及び第６データが第３奇数及び第３偶数フリップフロップＦＯ３  ２２５及びＦＥ３  ２２６にそれぞれラッチされ、ラッチされたデータは第８キャリ信号ＣＡＲＲＹ８のＣ８が発生する前まで持続されると同時に第１偶数フリップフロップＦＥ１  ２２２にラッチされている第２データがＯＵＴ Ａに出力される。
【００７２】
第４キャリ信号ＣＡＲＲＹ４のＣ４の間に第７及び第８データが第４奇数及び第４偶数フリップフロップＦＯ４  ２２７及びＦＥ４  ２２８にそれぞれラッチされ、ラッチされたデータは第４キャリ信号ＣＡＲＲＹ４のＣ１４が発生する前まで持続されると同時に第２奇数フリップフロップＦＯ２  ２２３にラッチされている第３データがＯＵＴ Ａに出力される。
【００７３】
第５キャリ信号ＣＡＲＲＹ５のＣ５の間に第９及び第１０データが第５奇数及び第５偶数フリップフロップＦＯ５  ２２９及びＦＥ５  ２３０にそれぞれラッチされ、ラッチされたデータは第５キャリ信号ＣＡＲＲＹ５のＣ１５が発生する前まで持続されると同時に第２偶数フリップフロップＦＥ２  ２２４にラッチされている第４データがＯＵＴ Ａに出力される。
【００７４】
第６キャリ信号ＣＡＲＲＹ６のＣ６の間に第１１及び第１２データが第１奇数及び第１偶数フリップフロップＦＯ１  ２２１及びＦＥ１  ２２２にそれぞれラッチされ、ラッチされたデータは第１キャリ信号ＣＡＲＲＹ１のＣ１１が発生する前まで持続されると同時に第３奇数フリップフロップＦＯ３  ２２５にラッチされている第５データがＯＵＴ Ａに出力される。
【００７５】
第７キャリ信号ＣＡＲＲＹ７のＣ７の間に第１３及び第１４データが第２奇数及び第２偶数フリップフロップＦＯ２  ２２３及びＦＥ２  ２２４にそれぞれラッチされ、ラッチされたデータは第２キャリ信号ＣＡＲＲＹ２のＣ１２が発生する前まで持続されると同時に第３偶数フリップフロップＦＥ３  ２２６にラッチされている第６データがＯＵＴ Ａに出力され、また第１奇数フリップフロップＦＯ１  ２２１にラッチされている第１１データがＯＵＴ Ｂに出力される。
【００７６】
第８キャリ信号ＣＡＲＲＹ８のＣ８の間に第１５及び第１６データが第３奇数及び第３偶数フリップフロップＦＯ３  ２２５及びＦＥ３  ２２６にそれぞれラッチされ、ラッチされたデータは第３キャリ信号ＣＡＲＲＹ３のＣ１３が発生する前まで持続される。それと同時に第４奇数フリップフロップＦＯ４  ２２７にラッチされている第７データがＯＵＴ Ａに出力され、また第１偶数フリップフロップＦＥ１  ２２２にラッチされている第１２データがＯＵＴ Ｂに出力される。
【００７７】
第９キャリ信号ＣＡＲＲＹ９のＣ９の間に第１７及び第１８データが第１奇数追加フリップフロップ及び第２偶数追加フリップフロップＦＯＸ１  ２３１及びＦＥＸ１  ２３２にそれぞれラッチされ、ラッチされたデータは第９キャリ信号ＣＡＲＲＹ９のＣ１９が発生する前まで持続される。それと同時に第４偶数フリップフロップＦＥ４  ２２８にラッチされている第８データがＯＵＴ Ａに出力され、また第２奇数フリップフロップＦＯ２  ２２３にラッチされている第１３データがＯＵＴ Ｂに出力される。
【００７８】
第１０キャリ信号ＣＡＲＲＹ１０のＣ１０の間に第１９及び第２０データが第２奇数追加フリップフロップ及び第２偶数追加フリップフロップＦＯＸ２  ２３３及びＦＥＸ２  ２３４にそれぞれラッチされ、ラッチされたデータは第１０キャリ信号ＣＡＲＲＹ１０のＣ２０が発生する前まで持続される。それと同時に第５奇数フリップフロップＦＯ５  ２２９にラッチされている第９データがＯＵＴ Ａに出力され、また第２偶数フリップフロップＦＥ２  ２２４にラッチされている第１４データがＯＵＴ Ｂに出力される。
【００７９】
第１キャリ信号ＣＡＲＲＹ１のＣ１１の間に第２１及び第２２データが第１奇数及び第１偶数フリップフロップＦＯ１  ２２１及びＦＥ１  ２２２にそれぞれラッチされ、ラッチされたデータは第６キャリ信号ＣＡＲＲＹ６のＣ１６が発生する前まで持続される。それと同時に第５偶数フリップフロップＦＥ５  ２３０にラッチされている第１０データがＯＵＴ Ａに出力され、また第３奇数フリップフロップＦＯ３  ２２５にラッチされている第１５データがＯＵＴ Ｂに出力される。
【００８０】
第２キャリ信号ＣＡＲＲＹ２のＣ１２の間に第２３及び第２４データが第２奇数追加フリップフロップ及び第２偶数追加フリップフロップＦＯＸ２  ２３３及びＦＥＸ２  ２３４にそれぞれラッチされ、ラッチされたデータは第７キャリ信号ＣＡＲＲＹ７のＣ１７が発生する前まで持続される。それと同時に第１奇数フリップフロップＦＯ１  ２２１にラッチされている第２１データがＯＵＴ Ａに出力され、また第３偶数フリップフロップＦＥ３  ２２６にラッチされている第１６データがＯＵＴ Ｂに出力される。
【００８１】
前記のような方法で図５乃至図６に示したタイミング図を参照すればその他のサイクルにおける動作関係も容易に把握できる。
【００８２】
次いで、前述した内容に基づいてフリップフロップにデータのラッチされる動作を要約する。
【００８３】
第１奇数及び第１偶数フリップフロップは第１及び第６キャリ信号によりデータがラッチされ、第２奇数及び第２偶数フリップフロップは第２及び第７キャリ信号によりデータがラッチされ、第３奇数及び第３偶数フリップフロップは第３及び第８キャリ信号によりデータがラッチされる。これに反して、第４奇数及び第４偶数フリップフロップは第４キャリ信号にのみよりデータがラッチされ、第５奇数及び第５偶数フリップフロップは第５キャリ信号にのみよりデータがラッチされる。そして、第１奇数追加フリップフロップ及び第１偶数追加フリップフロップは第９キャリ信号によりのみデータがラッチされ、第２奇数追加フリップフロップ及び第２偶数追加フリップフロップは第１０キャリ信号にのみよりデータがラッチされる。
【００８４】
そして、フリップフロップにラッチされたデータが出力される動作を要約すれば次の通りである。
【００８５】
ＯＵＴ Ａに出力される第１〜第１０データは第２〜第１０及び第１キャリ信号Ｃ２，Ｃ３，．．．．，Ｃ１０，Ｃ１１により順次出力され、また後続する第２１〜第３０、第４１〜第５０データも同様である。ＯＵＴ Ｂに出力される第１１〜第２０データは第７〜第１０、第１〜第６キャリ信号Ｃ７，Ｃ８，Ｃ９，Ｃ１０，Ｃ１１，Ｃ１２，．．．，Ｃ１６により順に出力され、且つその次の第３１〜第４０、第５１〜第６０データなども同様である。
【００８６】
このようなデータの入出力動作はソースドライブ部１５に具備されたメモリ容量がさらに増加してもそのメモリに貯蔵されるデータの数が偶数である一つの同一方法で適用される。例えば、出力データの数Ｎを１００にする場合、キャリ信号を１００個、偶数フリップフロップを５０個、奇数フリップフロップ５０個、そして４個追加フリップフロップを具備し、第１〜第４８奇数及び第１〜第４８偶数フリップフロップは前記実施例における第１〜第３奇数及び第１〜第３偶数フリップフロップと同一の方法で動作し、第４９、第５０奇数及び第４９、第５０偶数フリップフロップは前記実施例における第４〜第５奇数及び第４〜第５偶数フリップフロップと同一の方法で動作し、一方、４個の追加フリップフロップは前記実施例における第１、第２奇数追加フリップフロップ及び第１、第２偶数追加フリップフロップと同一な方法で動作する。
【００８７】
図７乃至図９は図１のソースドライブ部１５の各メモリに貯蔵される画素データの数が奇数（Ｎ＝２Ｍ＋１、ここでＭは正の整数）の時のインターフェース部１８の詳細な構成を示している。図７はデータラッチ部１８１の構成を、図８はＯＵＴ Ａ出力部１８５の構成を、そして図９はＯＵＴ Ｂ出力部１８７の構成を示したものであり、キャリ信号発生部１８３の構成は示さなかった。本実施例においてメモリに貯蔵される画素データの数はそれぞれ１１個であり、この場合Ｍ＝５である。
【００８８】
ここで、ＩＮ Ａ７１１はＰＣ−ＳＥＴ１１から伝送された奇数番目の画素データ、ＩＮ Ｂ７１２はＰＣ−ＳＥＴ１１から伝送された偶数番目の画素データ、ＣＡＲＲＹ１〜ＣＡＲＲＹ１１はキャリ信号発生部１８３から発生したキャリ信号、ＯＵＴ ＡはＮ個単位の出力データのうち奇数番目の出力データ、そしてるＯＵＴ ＢはＮ個単位の出力データのうち偶数番目の出力データを意味する。
【００８９】
図７のデータラッチ部はＩＮ Ａ７１１の入力される６個のフリップフロップＦＯ１〜ＦＯ６  ７２１，７２３，７２５，７２７、７２９，７３１と２個のフリップフロップＦＯＸ１，ＦＯＸ２  ７３３，７３５及びＩＮ Ｂ７１２の入力される６個フリップフロップＦＥ１〜ＦＥ６  ７２２，７２４，７２６，７２８，７３０，７３２の２個のフリップフロップＦＥＸ１，ＦＥＸ２  ７３４，７３６より構成される。
【００９０】
ここで、奇数番目の入力データが入力される奇数フリップフロップはＩＮ Ａ７１１を通じて伝送された（２Ｍ＋１）個の奇数データのうち第１〜第（Ｍ−２）番目のデータ又は第（Ｍ＋２）〜第（２Ｍ−１）番目のデータが入力され、キャリ信号によりデータをラッチ及び出力するための、（Ｍ−２）個のラッチより構成された第１奇数ラッチ部、ＩＮ Ａ７１１を通じて伝送された（２Ｍ＋１）個単位の奇数データのうち第（Ｍ−１）、Ｍ、（Ｍ＋１）番目のデータが入力され、キャリ信号によりデータをラッチ及び出力するための、３個のラッチより構成された第２奇数ラッチ部、そしてＩＮ Ａ７１１を通じて伝送された（２Ｍ＋１）個単位の奇数データのうち第２Ｍ、（２Ｍ＋１）番目のデータが入力され、キャリ信号によりデータをラッチ及び出力するための、２個のラッチより構成された第３奇数ラッチ部に分けられる。
【００９１】
そして、偶数番目の入力データが入力される偶数フリップフロップはＩＮ Ｂ７１２を通じて伝送された（２Ｍ＋１）個の偶数データのうち第１〜第（Ｍ−２）番目データ又は第（Ｍ＋２）〜第（２Ｍ−１）番目のデータが入力され、キャリ信号によりデータをラッチ及び出力するための、（Ｍ−２）個のラッチより構成された第１偶数ラッチ部、ＩＮ Ｂ７１２を通じて伝送された（２Ｍ＋１）個単位の偶数データのうち第（Ｍ−１）、Ｍ、（Ｍ＋１）番目のデータが入力され、キャリ信号によりデータをラッチ及び出力するための、３個のラッチより構成された第２偶数ラッチ部、そしてＩＮ Ｂ７１２を通じて伝送された（２Ｍ＋１）個単位の偶数データのうち第２Ｍ、（２Ｍ＋１）番目のデータが入力され、前記キャリ信号によりデータをラッチ及び出力するための、２個のラッチより構成された第３偶数ラッチ部に分けられる。
【００９２】
本実施例において、Ｎ＝１１、Ｍ＝５なのて、第１奇数ラッチ部はフリップフロップＦＯ１〜ＦＯ３  ７２１，７２３，７２５、第２奇数ラッチ部はフリップフロップＦＯ４〜ＦＯ６  ７２７，７２９，７３１、第３奇数ラッチ部はフリップフロップＦＯＸ１，ＦＯＸ２  ７３３，７３５、第１偶数ラッチ部はフリップフロップＦＥ１〜ＦＥ３  ７２２，７２４，７２６、第２偶数ラッチ部はフリップフロップＦＥ４〜ＦＥ６  ７２８，７３０，７３２、第３偶数ラッチ部はフリップフロップＦＥＸ１，ＦＥＸ２  ７３４，７３６より構成される。
【００９３】
図８のＯＵＴ Ａ出力部はフリップフロップの出力データ及びキャリ信号の入力される１１個のＡＮＤゲート７６１〜７７１、そしてＡＮＤゲート７６１〜７７１の出力信号が入力されてＯＵＴ Ａを出力するＯＲ回路７５より構成され、所定のキャリ信号に応じて第１、第２奇数ラッチ部、第１偶数ラッチ部及び第２偶数ラッチ部のＦＥ４  ７２８、ＦＥ５  ７３０より伝送された（２Ｍ＋１）個単位のデータＡ，Ｂ，Ｃ，Ｄ，Ｅ，Ｆ，Ｇ，Ｈ，Ｉ，Ｊ及びＫをソースドライブ部１５の第１メモリに出力する。
【００９４】
そして、図９に示したＯＵＴ Ｂ出力部はフリップフロップの出力データ及びキャリ信号の入力される１１個のＡＮＤゲート７８１〜７９１、そしてＡＮＤゲート７８１〜７９１の出力信号が入力されてＯＵＴ Ｂを出力するＯＲ回路７９より構成され、所定のキャリ信号に応じて第２偶数ラッチ部のＦＥ６  ７３２、第１、第３奇数ラッチ部及び第１、第３偶数ラッチ部から伝送された（２Ｍ＋１）個単位のデータＡ，Ｂ，Ｃ，Ｄ，Ｅ，Ｆ，Ｍ，Ｎ，Ｏ，Ｐ及びＬをソースドライブ部１５の第２メモリに出力する。
【００９５】
先ず、図７を参照して入力データがキャリ信号により各フリップフロップにラッチされる動作について説明する。
【００９６】
第１奇数及び第１偶数フリップフロップＦＯ１，ＦＥ１  ７２１，７２２は第１キャリ信号ＣＡＲＲＹ１及び第７キャリ信号ＣＡＲＲＹ７をＯＲゲート７４１で論理和した信号により入力データをラッチし、第２奇数及び第２偶数フリップフロップＦＯ２，ＦＥ２  ７２３，７２４は第２キャリ信号ＣＡＲＲＹ２及び第８キャリ信号ＣＡＲＲＹ８をＯＲゲート７４２で論理和した信号により入力データをラッチし、第３奇数及び第３偶数フリップフロップＦＯ３，ＦＥ３  ７２５，７２６は第３キャリ信号ＣＡＲＲＹ３及び第９キャリ信号ＣＡＲＲＹ９をＯＲゲート７４３で論理和した信号により入力データをララッチし、第４奇数及び第４偶数フリップフロップＦＯ４，ＦＥ４  ７２７，７２８は第４キャリ信号ＣＡＲＲＹ４により入力データをラッチし、第５奇数及び第５偶数フリップフロップＦＯ５，ＦＥ５  ７２９，７３０は第５キャリ信号ＣＡＲＲＹ５により入力データをラッチし、第６奇数及び第６偶数フリップフロップＦＯ６，ＦＥ６  ７３１，７３２は第６キャリ信号ＣＡＲＲＹ６により入力データをラッチし、第１奇数及び第１偶数フリップフロップＦＯＸ１，ＦＥＸ１  ７３３，７３４は第１０キャリ信号ＣＡＲＲＹ１０により入力データをラッチし、そして第２奇数及び第２偶数追加フリップフロップＦＯＸ２，ＦＥＸ２  ７３５，７３６は第１１キャリ信号ＣＡＲＲＹ１１により入力データをラッチする。
【００９７】
データをラッチしている各フリップフロップは次のキャリ信号により次の入力データがラッチされるまで現在のデータをそのまま貯蔵する。
【００９８】
次に、図８を参照して各フリップフロップにラッチされたデータがキャリ信号によりＯＵＴ Ａに出力される動作について説明する。
【００９９】
第１奇数フリップフロップＦＯ１  ７２１にラッチされたデータＡは第２キャリ信号ＣＡＲＲＹ２が“ＨＩＧＨ”（イネーブル状態）の間に、第１偶数フリップフロップＦＥ１  ７２２にラッチされたデータＢは第３キャリ信号ＣＡＲＲＹ３が“ＨＩＧＨ”の間に、第２奇数フリップフロップＦＯ２  ７２３にラッチされたデータＣは第４キャリ信号ＣＡＲＲＹ４が“ＨＩＧＨ”の間に、第２偶数フリップフロップＦＥ２  ７２４にラッチされたデータＤは第５キャリ信号ＣＡＲＲＹ５が“ＨＩＧＨ”の間に、第３奇数フリップフロップＦＯ３  ７２５にラッチされたデータＥは第６キャリ信号ＣＡＲＲＹ６が“ＨＩＧＨ”の間に、第３偶数フリップフロップＦＥ３  ７２６にラッチされたデータＦは第７キャリ信号ＣＡＲＲＹ７が“ＨＩＧＨ”の間に、第４奇数フリップフロップＦＯ４  ７２７にラッチされたデータＧは第８キャリ信号ＣＡＲＲＹ８が“ＨＩＧＨ”の間に、第４偶数フリップフロップＦＥ４  ７２８にラッチされたデータＨは第９キャリ信号ＣＡＲＲＹ９が“ＨＩＧＨ”の間に、第５奇数フリップフロップＦＯ５  ７２９にラッチされたデータＩは第１０キャリ信号ＣＡＲＲＹ１０が“ＨＩＧＨ”の間に、第５偶数フリップフロップＦＥ５  ７３０にラッチされたデータＪは第１１キャリ信号ＣＡＲＲＹ１１が“ＨＩＧＨ”の間に、そして第６奇数フリップフロップＦＯ６  ７３１にラッチされたデータＫは第１キャリ信号ＣＡＲＲＹ１が“ＨＩＧＨ”の間にそれぞれＯＲ回路７５に順に出力される。
【０１００】
即ち、ＯＲ回路２５はキャリ信号のうち“ＨＩＧＨ”よりなるキャリ信号により選択されたフリップフロップの出力データを前記のような順序に従ってＯＵＴ Ａに出力する。従ってフリップフロップにラッチされたデータＡ〜Ｋがキャリ信号ＣＡＲＲＹ２〜ＣＡＲＲＹ１１、ＣＡＲＲＹ１により順にＯＵＴ Ａに出力され、ＯＵＴ Ａに出力されるデータは第１〜第１１データ、第２３〜第３３データなどの１０個単位のデータである。
【０１０１】
次いで、図９を参照して各フリップフロップにラッチされたデータがキャリ信号によりＯＵＴ Ｂに出力される動作について説明する。
【０１０２】
第１奇数フリップフロップＦＯ１  ７２１にラッチされたデータＡは第８キャリ信号ＣＡＲＲＹ８が“ＨＩＧＨ”の間に、第１偶数フリップフロップＦＥ１  ７２２にラッチされたデータＢは第９キャリ信号ＣＡＲＲＹ９が“ＨＩＧＨ”の間に、第２奇数フリップフロップＦＯ２  ７２３にラッチされたデータＣは第１０キャリ信号ＣＡＲＲＹ１０が“ＨＩＧＨ”の間に、第２偶数フリップフロップＦＥ２  ７２４にラッチされたデータＤは第１１キャリ信号ＣＡＲＲＹ１１が“ＨＩＧＨ”の間に、第３奇数フリップフロップＦＯ３  ７２５にラッチされたデータＥは第１キャリ信号ＣＡＲＲＹ１が“ＨＩＧＨ”の間に、第３偶数フリップフロップＦＥ３  ７２６にラッチされたデータＦは第２キャリ信号ＣＡＲＲＹ２が“ＨＩＧＨ”の間に、第１奇数追加フリップフロップＦＯＸ１  ７３３にラッチされたデータＭは第３キャリ信号ＣＡＲＲＹ３が“ＨＩＧＨ”の間に、第１偶数追加フリップフロップＦＥＸ１  ７３４にラッチされたデータＮは第４キャリ信号ＣＡＲＲＹ４が“ＨＩＧＨ”の間に、第２奇数追加フリップフロップＦＯＸ２  ７３５にラッチされたデータＯは第５キャリ信号ＣＡＲＲＹ５が“ＨＩＧＨ”の間に、第２偶数追加フリップフロップＦＥＸ２  ７３６にラッチされたデータＰは第６キャリ信号ＣＡＲＲＹ６が“ＨＩＧＨ”の間に、そして第６偶数フリップフロップＦＥ６  ７３２にラッチされたデータＬは第７キャリ信号ＣＡＲＲＹ７が“ＨＩＧＨ”の間にそれぞれＯＲ回路７９に順次出力される。
【０１０３】
即ち、ＯＲ回路７９はキャリ信号のうち“ＨＩＧＨ”よりなるキャリ信号により選択されたフリップフロップのデータを前記のような順序に従ってＯＵＴ Ｂに出力する。従って、フリップフロップにラッチされたデータＡ〜Ｆ，Ｍ〜Ｐ及びＬがキャリ信号ＣＡＲＲＹ８〜ＣＡＲＲＹ１１、ＣＡＲＲＹ１〜ＣＡＲＲＹ７により順にＯＵＴ Ｂに出力され、ＯＵＴ Ｂに出力されるデータは第１２〜第２２データ、第３４〜第４４データなどの１１個単位のデータである。
【０１０４】
以上説明したように、ＯＵＴ Ａ出力は第１〜第６奇数フリップフロップＦＯ１〜ＦＯ６及び第１〜第５偶数フリップフロップＦＥ１〜ＦＥ５にラッチされたデータにより形成され、ＯＵＴ Ｂ出力は第１〜第３奇数フリップフロップＦＯ１〜ＦＯ３、第１〜第３偶数フリップフロップＦＥ１〜ＦＥ３、第６偶数フリップフロップＦＥ６及び第１，第２追加フリップフロップＦＯＸ１，ＦＯＸ２，ＦＥＸ１，ＦＥＸ２にラッチされたデータにより形成される。
【０１０５】
図１０乃至図１１は図７乃至図９に示したインターフェース部の動作を説明するためのタイミング図である。
【０１０６】
図１０Ａ０はメインクロックＭＣＬＫの波形、図１０Ｂ０は奇数番目の入力データであるＩＮ Ａの波形、図１０Ｃ０は偶数番目の入力データであるＩＮ Ｂの波形を示したものであり、各入力データはメインクロックの周期単位で入力される。
【０１０７】
図１０Ａ乃至図１０Ｋはキャリ信号ＣＡＲＲＹ１〜ＣＡＲＲＹ１１の波形を示したものである。第１キャリ信号ＣＡＲＲＹ１（図１０Ａ）はメインクロックＭＣＬＫの第１上昇エッジで“ＨＩＧＨ”となりメインクロックＭＣＬＫの第２上昇エッジで“ＬＯＷ”となり（Ｃ１）、再びメインクロックＭＣＬＫの第１２上昇エッジで“ＨＩＧＨ”となりメインクロックＭＣＬＫの第１３上昇エッジで“ＬＯＷ”となり（Ｃ１２）、このように第１キャリ信号ＣＡＲＲＹ１はメインクロックの第１、１２、２３、３４、４５、．．．番目の上昇エッジで“ＨＩＧＨ”となりメインクロックＭＣＬＫの第２、１３、２４、３５、４６、．．．番目の上昇エッジで“ＬＯＷ”となる。第２キャリ信号ＣＡＲＲＹ２（図１０Ｂ）はメインクロックＭＣＬＫの第２、１３、２４、３５、．．．番目の上昇エッジで“ＨＩＧＨ”となりメインクロックＭＣＬＫの第３、１４、２５、３６、．．．番目の上昇エッジで“ＬＯＷ”となる。第３〜第１１キャリ信号（図１０Ｃ乃至図１０Ｋ）も前記のような方法で発生し、キャリ信号の番号順序の通りにメインクロックＭＣＬＫの一周期の差で順に“ＨＩＧＨ”となる。そして、該全てのキャリ信号はその周期がメインクロック周期の１１（＝Ｎ）倍の周期を有し、メインクロックＭＣＬＫの一周期の間にイネーブル状態を保つ。
【０１０８】
図１１Ａ乃至図１１Ｐは各サイクル別にフリップフロップＦＯ１〜ＦＯ６、ＦＥ１〜ＦＥ６、ＦＯＸ１、ＦＯＸ２、ＦＥＸ１、ＦＥＸ２にラッチされるデータを示したものである。ここに示された数字は入力データの順番であり、入力データ上に表示されたＣＸ（Ｘ＝１〜２３の整数）は入力データをフリップフロップにラッチさせるキャリ信号の順番である。
【０１０９】
そして、図１１Ａ’はソースドライブ部１５の第１メモリ（図示せず）に出力されるデータを示した図面であり、図１１Ｂ’はソースドライブ部１５の第２メモリ（図示せず）に出力されるデータを示したものである。
【０１１０】
次に、キャリ信号により各フリップフロップに入力データのラッチされる動作を詳細に説明する。
【０１１１】
第１奇数フリップフロップＦＯ１  ７２１は第１キャリ信号ＣＡＲＲＹ１のＣ１によりＩＮ  Ａの第１データを、第７キャリ信号ＣＡＲＲＹ７によりＩＮ Ａの第１３データを、第１キャリ信号ＣＡＲＲＹ１のＣ１２によりＩＮ Ａの第２３データを、第７キャリ信号ＣＡＲＲＹ７のＣ１８によりＩＮ Ａの第３５データを、そしてこのような方法で第１キャリ信号ＣＡＲＲＹ１により（Ｎ×２ｋ＋１）番目のデータを、第７キャリ信号ＣＡＲＲＹ７により（Ｎ×（２ｋ＋１）＋２）番目のデータをラッチする。ここで、Ｎは１１、Ｍ＝５、ｋ＝０，１，２，３．．．である。
【０１１２】
第１偶数フリップフロップＦＥ１  ７２２は第１キャリ信号ＣＡＲＲＹ１のＣ１によりＩＮ Ｂの第２データを、第７キャリ信号ＣＡＲＲＹ７のＣ７によりＩＮ Ｂの第１４データを、第１キャリ信号ＣＡＲＲＹ１のＣ１２によりＩＮ Ｂの第２４データを、第７キャリ信号ＣＡＲＲＹ６のＣ１８によりＩＮ Ｂの第３６データを、そしてこのような方法で第１キャリ信号ＣＡＲＲＹ１により（Ｎ×２ｋ＋２）番目のデータを、第７キャリ信号ＣＡＲＲＹ７により（Ｎ×（２ｋ＋１）＋３）番目のデータをラッチする。
【０１１３】
第２奇数フリップフロップＦＯ２  ７２３は第２キャリ信号ＣＡＲＲＹ２のＣ２によりＩＮ Ａの第３データを、第８キャリ信号ＣＡＲＲＹ８のＣ８によりＩＮ Ａの第１５データを、第２キャリ信号ＣＡＲＲＹ２のＣ１３によりＩＮ Ａの第２５データを、第８キャリ信号ＣＡＲＲＹ８のＣ１９によりＩＮ Ａの第３７データを、そしてこのような方法で第２キャリ信号ＣＡＲＲＹ２により（Ｎ×２ｋ＋３）番目のデータを、第８キャリ信号ＣＡＲＲＹ８により（Ｎ×（２ｋ＋１）＋４）番目のデータをラッチする。
【０１１４】
第２偶数フリップフロップＦＥ２  ７２４は第２キャリ信号ＣＡＲＲＹ２のＣ２によりＩＮ Ｂの第４データを、第８キャリ信号ＣＡＲＲＹ８のＣ８によりＩＮ Ｂの第１６データを、第２キャリ信号ＣＡＲＲＹ２のＣ１３によりＩＮ Ｂの第２６データを、第８キャリ信号ＣＡＲＲＹ８のＣ１９によりＩＮ Ｂの第３８データを、そしてこのような方法で第２キャリ信号ＣＡＲＲＹ２により（Ｎ×２ｋ＋４）番目のデータを、第８キャリ信号ＣＡＲＲＹ８により（Ｎ×（２ｋ＋１）＋５）番目のデータをラッチする。
【０１１５】
第３奇数フリップフロップＦＯ３  ７２５は第３キャリ信号ＣＡＲＲＹ３のＣ３によりＩＮ Ａの第５データを、第９キャリ信号ＣＡＲＲＹ９のＣ９によりＩＮ Ａの第１７データを、第３キャリ信号ＣＡＲＲＹ３のＣ１４によりＩＮ Ａの第２７データを、第９キャリ信号ＣＡＲＲＹ９のＣ２０によりＩＮ Ａの第３９データを、そしてこのような方法で第３キャリ信号ＣＡＲＲＹ３により（Ｎ×２ｋ＋５）番目のデータを、第９キャリ信号ＣＡＲＲＹ９により（Ｎ×（２ｋ＋１）＋６）番目のデータをラッチする。
【０１１６】
第３偶数フリップフロップＦＥ３  ７２６は第３キャリ信号ＣＡＲＲＹ３のＣ３によりＩＮ Ｂの第６データを、第９キャリ信号ＣＡＲＲＹ９のＣ９によりＩＮ Ｂの第１８データを、第３キャリ信号ＣＡＲＲＹ３のＣ１４によりＩＮ Ｂの第２８データを、第９キャリ信号ＣＡＲＲＹ９のＣ２０によりＩＮ Ｂの第４０データを、そしてこのような方法で第３キャリ信号ＣＡＲＲＹ３により（Ｎ×２ｋ＋６）番目のデータを、第９キャリ信号ＣＡＲＲＹ９により（Ｎ×（２ｋ＋１）＋７）番目のデータをラッチする。
【０１１７】
第４奇数フリップフロップＦＯ４  ７２７は第４キャリ信号ＣＡＲＲＹ４のＣ４によりＩＮ Ａの第７データを、第４キャリ信号ＣＡＲＲＹ４のＣ１５によりＩＮ Ａの第２９データを、そしてこのような方法で第４キャリ信号ＣＡＲＲＹ４により（Ｎ×２ｋ＋７）番目のデータをラッチする。
【０１１８】
第４偶数フリップフロップＦＥ４  ７２８は第４キャリ信号ＣＡＲＲＹ４のＣ４によりＩＮ Ｂの第８データを、第４キャリ信号ＣＡＲＲＹ４のＣ１５によりＩＮ Ｂの第３０データを、そしてこのような方法で第４キャリ信号ＣＡＲＲＹ４により（Ｎ×２ｋ＋８）番目のデータをラッチする。
【０１１９】
第５奇数フリップフロップＦＯ５  ７２９は第５キャリ信号ＣＡＲＲＹ５のＣ５によりＩＮ Ａの第９データを、第５キャリ信号ＣＡＲＲＹ５のＣ１６によりＩＮ Ａの第３１データを、そしてこのような方法で第５キャリ信号ＣＡＲＲＹ５により（Ｎ×２ｋ＋９）番目のデータをラッチする。
【０１２０】
第５偶数フリップフロップＦＥ５  ２３０は第５キャリ信号ＣＡＲＲＹ５のＣ５によりＩＮ Ｂの第１０データを、第５キャリ信号ＣＡＲＲＹ５のＣ１６によりＩＮ Ｂの第３２データを、そしてこのような方法で第５キャリ信号ＣＡＲＲＹ５により（Ｎ×２ｋ＋１０）番目のデータをラッチする。
【０１２１】
第６奇数フリップフロップＦＥ６  ７３１は第６キャリ信号ＣＡＲＲＹ６のＣ６によりＩＮ Ａの第１１データを、第６キャリ信号ＣＡＲＲＹ６のＣ１７によりＩＮ Ａの第３３データを、そしてこのような方法で第６キャリ信号ＣＡＲＲＹ６により（Ｎ×２ｋ＋１１＝Ｎ×２ｋ＋Ｎ＝Ｎ×（２ｋ＋１））番目のデータをラッチする。
【０１２２】
第６偶数フリップフロップＦＥ６  ７３２は第６キャリ信号ＣＡＲＲＹ６のＣ６によりＩＮ Ｂの第１２データを、第６キャリ信号ＣＡＲＲＹ６のＣ１７によりＩＮ Ｂの第３４データを、そしてこのような方法で第６キャリ信号ＣＡＲＲＹ６により（Ｎ×２ｋ＋１２＝Ｎ×２ｋ＋Ｎ＋１＝Ｎ×（２ｋ＋１）＋１）番目データをラッチする。
【０１２３】
第１奇数追加フリップフロップＦＯＸ１  ７３３は第１０キャリ信号ＣＡＲＲＹ１０のＣ１０によりＩＮ Ａの第１９データを、第１０キャリ信号ＣＡＲＲＹ１０のＣ２１によりＩＮ Ａの第４１データを、そしてこのような方法で第１０キャリ信号により（Ｎ×（２ｋ＋１）＋８＝Ｎ×（２ｋ＋１）＋Ｎ−３＝Ｎ×（２ｋ＋２）−３）番目のデータをラッチする。
【０１２４】
第１偶数追加フリップフロップＦＥＸ１  ７３４は第１０キャリ信号ＣＡＲＲＹ１０のＣ１０によりＩＮ Ｂの第２０データを、第１０キャリ信号ＣＡＲＲＹ１０のＣ２１によりＩＮ Ｂの第４２データを、そしてこのような方法で第１０キャリ信号ＣＡＲＲＹ１０により（Ｎ×（２ｋ＋１）＋９＝Ｎ×（２ｋ＋１）＋Ｎ−２＝Ｎ×（２ｋ＋２）−２）番目のデータをラッチする。
【０１２５】
第２奇数追加フリップフロップＦＯＸ２  ７３５は第１１キャリ信号ＣＡＲＲＹ１１のＣ１１によりＩＮ Ａの第２１データを、第１１キャリ信号ＣＡＲＲＹ１１のＣ２２によりＩＮ Ａの第４３データを、そしてこのような方法で第１１キャリ信号ＣＡＲＲＹ１１により（Ｎ×（２ｋ＋１）＋１０＝Ｎ×（２ｋ＋１）＋Ｎ−１＝Ｎ×（２ｋ＋２）−１）番目のデータをラッチする。
【０１２６】
第２偶数追加フリップフロップＦＥＸ２  ７３６は第１１キャリ信号ＣＡＲＲＹ１１のＣ１１によりＩＮ Ｂの第２２データを、第１１キャリ信号ＣＡＲＲＹ１１のＣ２２によりＩＮ Ｂの第４４データを、そしてこのような方法で第１１キャリ信号ＣＡＲＲＹ１１により（Ｎ×（２ｋ＋１）＋１１＝Ｎ×（２ｋ＋１）＋Ｎ＝Ｎ×（２ｋ＋２）番目のデータをラッチする。
【０１２７】
前述したような各フリップフロップにおけるデータのラッチ動作はメインクロックＭＣＬＫの２２周期Ｃ１〜Ｃ２２単位で４４個単位の入力データに対して繰り返し行われる。
【０１２８】
次に、前記のように各フリップフロップにラッチされたデータがキャリ信号によりＯＵＴ Ａ及びＯＵＴ Ｂに出力される動作を詳細に説明する。
【０１２９】
ＯＵＴ Ａは一番目の１１個のデータを、その次に１１個のデータを飛ばして第２３番目のデータから１１個のデータを順に出力し、ＯＵＴ Ｂは第１２番目のデータから１１個のデータを、その次に１１個のデータを飛ばして第３４番目データから１１個のデータを順に出力し、該ＯＵＴ ＡとＯＵＴ Ｂに出力されるデータはメインクロックの最初の幾つかのサイクルを除いては同時に形成される。
【０１３０】
ＯＵＴ Ａに出力される第１〜第１１データは第１〜第６奇数フリップフロップ及び第１〜第５偶数フリップフロップにラッチされたデータにより形成され、このデータがキャリ信号により如何にデータ順に整列されて順次出力されるかを調べてみる。
【０１３１】
第１奇数フリップフロップＦＯ１  ７２１にラッチされた第１データは第２キャリ信号ＣＡＲＲＹ２のＣ２により出力され、第１偶数フリップフロップＦＥ１７２２にラッチされた第２データは第３キャリ信号ＣＡＲＲＹ３のＣ３により出力される。
【０１３２】
第２奇数フリップフロップＦＯ２  ７２３にラッチされた第３データは第４キャリ信号ＣＡＲＲＹ４のＣ４により出力され、第２偶数フリップフロップＦＥ２７２４にラッチされた第４データは第５キャリ信号ＣＡＲＲＹ５のＣ５により出力される。
【０１３３】
第３奇数フリップフロップＦＯ３  ７２５にラッチされた第５データは第６キャリ信号ＣＡＲＲＹ６のＣ６により出力され、第３偶数フリップフロップＦＥ３７２６にラッチされた第６データは第７キャリ信号ＣＡＲＲＹ７のＣ７により出力される。
【０１３４】
第４奇数フリップフロップＦＯ４  ７２７にラッチされた第７データは第８キャリ信号ＣＡＲＲＹ８のＣ８により出力され、第４偶数フリップフロップＦＥ４７２８にラッチされた第８データは第９キャリ信号ＣＡＲＲＹ９のＣ９により出力される。
【０１３５】
第５奇数フリップフロップＦＯ５  ７２９にラッチされた第９データは第１０キャリ信号ＣＡＲＲＹ１０のＣ１０により出力され、第５偶数フリップフロップＦＥ５  ７３０にラッチされた第１０データは第１１キャリ信号ＣＡＲＲＹ１１のＣ１１により出力される。
【０１３６】
第６奇数フリップフロップＦＯ６  ７３１にラッチされた第１１データは第１キャリ信号ＣＡＲＲＹ１のＣ１２により出力される。
【０１３７】
次に、ＯＵＴ Ｂに出力される第１２〜第２２データは第６偶数フリップフロップ、第１〜第３奇数フリップフロップ、第１〜第３偶数フリップフロップ、第１、第２奇数追加フリップフロップ及び第１，第２偶数追加フリップフロップにラッチされたデータにより形成され、このデータがキャリ信号により如何にデータ順に整列されて順次出力されるかを調べてみる。
【０１３８】
第６偶数フリップフロップＦＥ６  ７３２にラッチされた第１２データは第８キャリ信号ＣＡＲＲＹ８のＣ８により出力される。
【０１３９】
第１奇数フリップフロップＦＯ１  ７２１にラッチされた第１３データは第９キャリ信号ＣＡＲＲＹ９のＣ９により出力され、第１偶数フリップフロップＦＥ１  ７２２にラッチされた第１４データは第１０キャリ信号ＣＡＲＲＹ１０のＣ１０により出力される。
【０１４０】
第２奇数フリップフロップＦＯ２  ７２３にラッチされた第１５データは第１１キャリ信号ＣＡＲＲＹ１１のＣ１１により出力され、第２偶数フリップフロップＦＥ２  ７２４にラッチされた第１６データは第１キャリ信号ＣＡＲＲＹ１のＣ１２により出力される。
【０１４１】
第３奇数フリップフロップＦＯ３  ７２５にラッチされた第１７データは第２キャリ信号ＣＡＲＲＹ２のＣ１３により出力され、第３偶数フリップフロップＦＥ３  ７２６にラッチされた第１８データは第３キャリ信号ＣＡＲＲＹ３のＣ１４により出力される。
【０１４２】
第１奇数追加フリップフロップＦＯＸ１  ７３３にラッチされた第１９データは第４キャリ信号ＣＡＲＲＹ４のＣ１５により出力され、第１偶数追加フリップフロップＦＥＸ１  ７３４にラッチされた第２０データは第５キャリ信号ＣＡＲＲＹ５のＣ１６により出力される。
【０１４３】
第２奇数追加フリップフロップＦＯＸ２  ７３５にラッチされた第２１データは第６キャリ信号ＣＡＲＲＹ６のＣ１７により出力され、第２偶数追加フリップフロップＦＥＸ２  ７３６にラッチされた第２２データは第７キャリ信号ＣＡＲＲＹ７のＣ１８により出力される。
【０１４４】
以上説明したインターフェースにおけるデータの入出力動作をキャリ信号の周期別に調べてみる。
【０１４５】
第１キャリ信号ＣＡＲＲＹ１のＣ１の間に第１及び第２データが第１奇数及び第１偶数フリップフロップＦＯ１  ７２１及びＦＥ１  ７２２にそれぞれラッチされ、ラッチされたデータは第７キャリ信号ＣＡＲＲＹ７のＣ７が発生する前まで持続される。
【０１４６】
第２キャリ信号ＣＡＲＲＹ２のＣ２の間に第３及び第４データが第２奇数及び第２偶数フリップフロップＦＯ２  ７２３及びＦＥ２  ７２４にそれぞれラッチされ、ラッチされたデータは第８キャリ信号ＣＡＲＲＹ８のＣ８が発生する前まで持続される。それと同時に第１奇数フリップフロップＦＯ１  ７２１にラッチされている第１データがＯＵＴ Ａに出力される。
【０１４７】
第３キャリ信号ＣＡＲＲＹ３のＣ３の間に第５及び第６データが第３奇数及び第３偶数フリップフロップＦＯ３  ７２５及びＦＥ３  ７２６にそれぞれラッチされ、ラッチされたデータは第９キャリ信号ＣＡＲＲＹ９のＣ９が発生する前まで持続されると同時に第１偶数フリップフロップＦＥ１  ７２２にラッチされている第２データがＯＵＴ Ａに出力される。
【０１４８】
第４キャリ信号ＣＡＲＲＹ４のＣ４の間に第７及び第８データが第４奇数及び第４偶数フリップフロップＦＯ４  ７２７及びＦＥ４  ７２８にそれぞれラッチされ、ラッチされたデータは第４キャリ信号ＣＡＲＲＹ４のＣ１５が発生する前まで持続されると同時に第２奇数フリップフロップＦＯ２  ７２３にラッチされている第３データがＯＵＴ Ａに出力される。
【０１４９】
第５キャリ信号ＣＡＲＲＹ５のＣ５の間に第９及び第１０データが第５奇数及び第５偶数フリップフロップＦＯ５  ７２９及びＦＥ５  ７３０にそれぞれラッチされ、ラッチされたデータは第５キャリ信号ＣＡＲＲＹ５のＣ１６が発生する前まで持続されると同時に第２偶数フリップフロップＦＥ２  ７２４にラッチされている第４データがＯＵＴ Ａに出力される。
【０１５０】
第６キャリ信号ＣＡＲＲＹ６のＣ６の間に第１１及び第１２データが第６奇数及び第６偶数フリップフロップＦＯ６  ７３１及びＦＥ６  ７３２にそれぞれラッチされ、ラッチされたデータは第６キャリ信号ＣＡＲＲＹ６のＣ１７が発生する前まで持続されると同時に第３奇数フリップフロップＦＯ３  ７２５にラッチされている第５データがＯＵＴ Ａに出力される。
【０１５１】
第７キャリ信号ＣＡＲＲＹ７のＣ７の間に第１３及び第１４データが第１奇数及び第１偶数フリップフロップＦＯ１  ７２１及びＦＥ１  ７２２にそれぞれラッチされ、ラッチされたデータは第１キャリ信号ＣＡＲＲＹ１のＣ１２が発生する前まで持続されると同時に第３偶数フリップフロップＦＥ３  ７２６にラッチされている第６データがＯＵＴ Ａに出力される。
【０１５２】
第８キャリ信号ＣＡＲＲＹ８のＣ８の間に第１５及び第１６データが第２奇数及び第２偶数フリップフロップＦＯ２  ７２３及びＦＥ２  ７２４にそれぞれラッチされ、ラッチされたデータは第２キャリ信号ＣＡＲＲＹ２のＣ１３が発生する前まで持続されると同時に第４奇数フリップフロップＦＥ４  ７２７にラッチされている第７データがＯＵＴ Ａに出力され、また第６偶数フリップフロップＦＥ６  ７３２にラッチされている第１２データがＯＵＴ Ｂに出力される。
【０１５３】
第９キャリ信号ＣＡＲＲＹ９のＣ９の間に第１７及び第１８データが第３奇数及び第３偶数フリップフロップＦＯ３  ７２５及びＦＥ３  ７２６にそれぞれラッチされ、ラッチされたデータは第３キャリ信号ＣＡＲＲＹ３のＣ１４が発生する前まで持続される。それと同時に第４偶数フリップフロップＦＥ４  ７２８にラッチされている第８データがＯＵＴ Ａに出力され、また第１奇数フリップフロップＦＯ１  ７２１にラッチされている第１３データがＯＵＴ Ｂに出力される。
【０１５４】
第１０キャリ信号ＣＡＲＲＹ１０のＣ１０の間に第１９及び第２０データが第１奇数追加フリップフロップ及び第１偶数追加フリップフロップＦＯＸ１  ７３３及びＦＥＸ１  ７３４にそれぞれラッチされ、ラッチされたデータは第１０キャリ信号ＣＡＲＲＹ１０のＣ２１が発生する前まで持続される。それと同時に第５奇数フリップフロップＦＯ５  ７２９にラッチされている第９データがＯＵＴＡに出力され、また第１偶数フリップフロップＦＥ１  ７２２にラッチされている第１４データがＯＵＴ Ｂに出力される。
【０１５５】
第１１キャリ信号ＣＡＲＲＹ１１のＣ１１の間に第２１及び第２２データが第２奇数追加フリップフロップ及び第２偶数追加フリップフロップＦＯＸ２  ７３５及びＦＥＸ２  ７３６にそれぞれラッチされ、ラッチされたデータは第１１キャリ信号ＣＡＲＲＹ１１のＣ２２が発生する前まで持続される。それと同時に第５偶数フリップフロップＦＥ５  ７３０にラッチされている第１０データがＯＵＴ  Ａに出力され、また第２奇数フリップフロップＦＯ２  ７２３にラッチされている第１５データがＯＵＴ Ｂに出力される。
【０１５６】
第１キャリ信号ＣＡＲＲＹ１のＣ１２の間に第２３及び第２４データが第１奇数及び第１偶数フリップフロップＦＯ１  ７２１及びＦＥ１  ７２２にそれぞれラッチされ、ラッチされたデータは第７キャリ信号ＣＡＲＲＹ７のＣ１８が発生する前まで持続される。それと同時に第６奇数フリップフロップＦＯ６  ７３１にラッチされている第１１データがＯＵＴ Ａに出力され、また第２偶数フリップフロップＦＥ２  ７２４にラッチされている第１６データがＯＵＴ Ｂに出力される。
【０１５７】
第２キャリ信号ＣＡＲＲＹ２のＣ１３の間に第２５及び第２６データが第２奇数及び第２偶数フリップフロップＦＯ２  ７２３及びＦＥ２  ７２４にそれぞれラッチされ、ラッチされたデータは第８キャリ信号ＣＡＲＲＹ８のＣ１９が発生する前まで持続されると同時に第１奇数フリップフロップＦＯ１  ７２１にラッチされている第２３データがＯＵＴ Ａに出力され、また第３奇数フリップフロップＦＯ３  ７２５にラッチされている第１７データがＯＵＴ Ｂに出力される。
【０１５８】
前記のような方法で図１０乃至図１１に示したタイミング図を参照すればその他のサイクルにおける動作関係も容易に把握できる。
【０１５９】
次に、前述した内容に基づいてフリップフロップにデータのラッチされる動作を要約する。
【０１６０】
第１奇数及び第１偶数フリップフロップは第１及び第７キャリ信号によりデータがラッチされ、第２奇数及び第２偶数フリップフロップは第２及び第８キャリ信号によりデータがラッチされ、第３奇数及び第３偶数フリップフロップは第３及び第９キャリ信号によりデータがラッチされる。これに反して、第４奇数及び第４偶数フリップフロップは第４キャリ信号によりのみデータがラッチされ、第５奇数及び第５偶数フリップフロップは第５キャリ信号にのみよりデータがラッチされ、第６奇数及び第６偶数フリップフロップは第６キャリ信号にのみよりデータがラッチされる。そして、第１奇数追加フリップフロップ及び第１偶数追加フリップフロップは第１０キャリ信号にのみよりデータがラッチされ、第２奇数追加フリップフロップ及び第２偶数追加フリップフロップは第１１キャリ信号にのみよりデータがラッチされる。
【０１６１】
そして、フリップフロップにラッチされたデータの出力される動作を要約すれば次の通りとなる。
【０１６２】
ＯＵＴ Ａに出力される第１〜第１１データは第２〜第１１及び第１キャリ信号Ｃ２，Ｃ３，．．．．，Ｃ１１，Ｃ１２により順次出力され、また後続く第２３〜第３３、第４５〜第５５データも同様である。ＯＵＴ Ｂに出力される第１２〜第２２データは第８〜第１１、第１〜第７キャリ信号Ｃ８，Ｃ９，．．，Ｃ１１，Ｃ１２，．．．，Ｃ１８により順次出力され、且つその次の第３４〜第４４、第５６〜第６６データなども同様である。
【０１６３】
このようなデータの入出力動作はソースドライブ部１５に具備されたメモリ容量がさらに増加してもそのメモリに貯蔵されるデータの数が奇数である同一の方法で適用される。例えば、出力データの数を１０１にする場合、キャリ信号を１０１個、偶数フリップフロップを５１個、奇数フリップフロップ５１個、そして偶数フリップフロップを４個具備し、第１〜第４８奇数及び第１〜第４８偶数フリップフロップは前記実施例における第１〜第３奇数及び第１〜第３偶数フリップフロップと同一の方法で動作し、第４９〜第５１奇数及び第４９〜第５１偶数フリップフロップは前記実施例における第４〜第６奇数及び第４〜第６偶数フリップフロップと同一の方法で動作し、一方、４個の追加フリップフロップは前記実施例における第１、第２奇数追加フリップフロップ及び第１、第２偶数追加フリップフロップと同一な方法で動作する。
【０１６４】
図１２Ａにおいて図１２Ｅは図１に示したソースドライブ部１５の各メモリに貯蔵された画素データの個数Ｎが１０３個の場合のインターフェース部１８の入出力動作を説明するためのタイミング図である。図１２ＡはメインクロックＭＣＬＫの波形を、図１２Ｂは奇数番目の入力データのＩＮ Ａの波形を、図１２Ｃは偶数番目の入力データであるＩＮ Ｂの波形を、図１２Ｄはソースドライブ部１５の第１メモリに出力されるデータを、そして図１２Ｅはソースドライブ部１５の第２メモリに出力されるデータを示した図面である。
【０１６５】
【発明の効果】
本発明によれば、ＸＧＡモードのＬＣＤ駆動用インターフェースの集積回路においてデータラッチ時ＥＭＩの発生に大きな影響を及ぼすメインクロックの代わりにその周波数より低い周波数を有するキャリ信号を用いることによってＥＭＩの発生を減らし、さらに回路構成においてシフトレジスタ方式で用いられたフリップフロップの個数より減ることによって全体電力消耗を減らし得る。
【０１６６】
本発明は前記の実施例に限定されなく、多くの変形が本発明の属する技術分野で通常の知識を持つものにより可能なのは明白である。
【図面の簡単な説明】
【図１】  本発明によるＸＧＡグラフィックシステムの構成ブロック図である。
【図２】  図１のインターフェース部の第１実施例を示す図面である。
【図３】  図１のインターフェース部の第１実施例を示す図面である。
【図４】  図１のインターフェース部の第１実施例を示す図面である。
【図５】  図２乃至図４のインターフェース部の動作を説明するためのタイミング図である。
【図６】  図２乃至図４のインターフェース部の動作を説明するためのタイミング図である。
【図７】  図１のインターフェース部の第２実施例を示した図面である。
【図８】  図１のインターフェース部の第２実施例を示した図面である。
【図９】  図１のインターフェース部の第２実施例を示した図面である。
【図１０】  図７乃至図９のインターフェース部の動作を説明するためのタイミング図である。
【図１１】  図７乃至図９のインターフェース部の動作を説明するためのタイミング図である。
【図１２】  図１のインターフェース部の第３実施例の動作を説明するためのタイミング図である。
【図１３】  従来の技術によるグラフィックシステムの構成ブロック図である。
【図１４】  図１３のインターフェース部の動作を説明するための図面である。
【符号の説明】
１１  ＰＣ−ＳＥＴ（ＸＧＡ用グラフィックカード付きコンピュータ）、１５  ソースドライブ部、１７  ＬＣＤパネル、１８  インターフェース部、１８１  データラッチ部、１８３  キャリ信号発生部、１８５  ＯＵＴ＿Ａ出力部、１８７  ＯＵＴ＿Ｂ出力部
【図１】
0003936415.tif 000002
【図２】
0003936415.tif 000003
【図３】
0003936415.tif 000004
【図４】
0003936415.tif 000005
【図５】
0003936415.tif 000006
【図６】
0003936415.tif 000007
【図７】
0003936415.tif 000008
【図８】
0003936415.tif 000009
【図９】
0003936415.tif 000010
【図１０】
0003936415.tif 000011
【図１１】
0003936415.tif 000012
【図１２】
0003936415.tif 000013
【図１３】
0003936415.tif 000014
【図１４】
0003936415.tif 000015